(57)【要約】  本発明の実施例は信号を伝送する方法、端末装置及びネットワーク機器を開示し、該方法は、端末装置は検出した同期信号及び／又は同期チャネルに基づき、信号伝送に用いられるビーム数を確定し又は該信号の伝送個数Ｎを確定し、Ｎが正の整数であること、及び該端末装置は該ビーム数又は該伝送個数Ｎに基づき、ネットワーク機器と該信号の伝送を行うことを含む。本発明実施例の方法、端末装置及びネットワーク機器は、信号伝送に用いられるビーム数又は信号の伝送個数を柔軟に設定することができ、それによりセルアクセスの品質を向上させ、且つシングルビーム伝達メカニズムをサポートするだけでなく、マルチビーム伝達メカニズムをサポートするため、検出の複雑さとビームフォーミングゲインとの間に良好な折衷を有する。
2019534586.tif 000002
【特許請求の範囲】
【請求項１】
信号を伝送する方法であって、
端末装置は検出した同期信号及び／又は同期チャネルに基づき、信号伝送に用いられるビーム数を確定し又は前記信号の伝送個数Ｎを確定し、Ｎは正の整数であること、及び
前記端末装置は前記ビーム数又は前記伝送個数Ｎに基づき、ネットワーク機器と前記信号の伝送を行うことを含むことを特徴とする信号を伝送する方法。
【請求項２】
前記同期信号はシーケンス情報が含まれ、前記端末装置は検出した同期信号に基づき、信号伝送に用いられるビーム数を確定し又は前記信号の伝送個数Ｎを確定するのは、
前記端末装置は前記シーケンス情報に基づき、前記シーケンス情報に対応する前記ビーム数又は前記伝送個数Ｎを確定することを含むことを特徴とする請求項１に記載の方法。
【請求項３】
前記同期信号は一次同期信号及び二次同期信号を含み、前記端末装置は検出した同期信号に基づき、信号伝送に用いられるビーム数を確定し又は前記信号の伝送個数Ｎを確定するのは、
前記端末装置は前記一次同期信号と前記二次同期信号との間の差分とした第１時間領域リソース単元の数に基づき、前記第１時間領域リソース単元の数に対応する前記ビーム数又は前記伝送個数Ｎを確定すること、又は
前記端末装置は前記一次同期信号と前記二次同期信号との間の差分とした第１周波数領域リソース単元の数に基づき、前記第１周波数領域リソース単元の数に対応する前記ビーム数又は前記伝送個数Ｎを確定することを含むことを特徴とする請求項１に記載の方法。
【請求項４】
前記同期チャネルに前記ビーム数又は前記伝送個数Ｎを指示するための指示情報が含まれ、前記端末装置は検出した同期チャネルに基づき、信号伝送に用いられるビーム数を確定し又は前記信号の伝送個数Ｎを確定するのは、
前記端末装置は前記指示情報に基づき、前記ビーム数又は前記伝送個数Ｎを確定することを含むことを特徴とする請求項１に記載の方法。
【請求項５】
前記端末装置は検出した同期チャネルに基づき、信号伝送に用いられるビーム数を確定し又は前記信号の伝送個数Ｎを確定するのは、
前記端末装置は前記検出した同期チャネルに用いられるスクランブルシーケンスに基づき、前記スクランブルシーケンスに対応する前記ビーム数又は前記伝送個数Ｎを確定することを含むことを特徴とする請求項１に記載の方法。
【請求項６】
前記端末装置は検出した同期信号及び同期チャネルに基づき、信号伝送に用いられるビーム数を確定し又は前記信号の伝送個数Ｎを確定するのは、
前記端末装置は前記同期信号と前記同期チャネルとの間の差分とした第２時間領域リソース単元の数に基づき、前記第２時間領域リソース単元の数に対応する前記ビーム数又は前記伝送個数Ｎを確定すること、又は
前記端末装置は前記同期信号と前記同期チャネルとの間の差分とした第２周波数領域リソース単元の数に基づき、前記第２周波数領域リソース単元の数に対応する前記ビーム数又は前記伝送個数Ｎを確定することを含むことを特徴とする請求項１に記載の方法。
【請求項７】
前記端末装置は検出した同期信号又は同期チャネルに基づき、信号伝送に用いられるビーム数を確定し又は前記信号の伝送個数Ｎを確定するのは、
前記端末装置は前記同期信号の物理リソースに基づき、前記同期信号の物理リソースに対応する前記ビーム数又は前記伝送個数Ｎを確定すること、又は
前記端末装置は前記同期チャネルの物理リソースに基づき、前記同期チャネルの物理リソースに対応する前記ビーム数又は前記伝送個数Ｎを確定することを含むことを特徴とする請求項１に記載の方法。  
【請求項８】
前記端末装置は検出した同期信号及び／又は同期チャネルに基づき、信号伝送に用いられるビーム数を確定し又は前記信号の伝送個数Ｎを確定するのは、
前記端末装置は前記同期信号及び／又は前記同期チャネルに基づき、前記信号を伝送することに用いられるビームは１個又はＭ個であることを確定し、又は前記信号の伝送個数は１個又はＫ個であることを確定し、Ｍ及びＫはそれぞれ予め記憶された１より大きい正の整数であることを含むことを特徴とする請求項１に記載の方法。
【請求項９】
前記同期信号及び同期チャネルを伝送する物理リソースは固定の相対位置を有し、及び／又は、前記同期チャネルに用いられるスクランブルシーケンスは前記同期信号に含まれるシーケンス情報に基づいて生成されたものであることを特徴とする請求項１に記載の方法。
【請求項１０】
前記端末装置は前記ビーム数又は前記伝送個数Ｎに基づき、ネットワーク機器と前記信号の伝送を行うのは、
前記端末装置は前記ビーム数又は前記伝送個数Ｎに基づき、前記ビーム数又は前記伝送個数Ｎに対応する物理リソース又はシーケンスリソースを確定すること、及び
前記端末装置は前記物理リソースで又は前記シーケンスリソースによって前記ネットワーク機器と前記信号の伝送を行うことを含むことを特徴とする請求項１〜９のいずれかに記載の方法。
【請求項１１】
前記端末装置は前記ビーム数に基づき、ネットワーク機器と前記信号の伝送を行うのは、
前記端末装置は前記ビーム数に基づき、前記ネットワーク機器へ前記ビーム数に対応するビームフォーミングを行った後の前記信号を送信すること、又は
前記端末装置は前記ネットワーク機器が送信した前記ビーム数に対応するビームフォーミングを行った後の前記信号を受信することを含むことを特徴とする請求項１〜１０のいずれかに記載の方法。
【請求項１２】
前記端末装置は前記伝送個数Ｎに基づき、ネットワーク機器と前記信号の伝送を行うのは、
前記端末装置は前記伝送個数Ｎに基づき、前記ネットワーク機器へＮ個の前記信号を送信すること、又は
前記端末装置は前記ネットワーク機器が前記伝送個数Ｎに基づき送信したＮ個の前記信号を受信することを含むことを特徴とする請求項１〜１０のいずれかに記載の方法。
【請求項１３】
前記Ｎ個の前記信号は異なるビームによってフォーミングし、Ｎは１より大きい正の整数であることを特徴とする請求項１２に記載の方法。
【請求項１４】
前記信号は、放送信号、ランダムアクセス信号、参照信号、制御信号及びビーム参照信号の中の少なくとも１種を含むことを特徴とする請求項１〜１３のいずれかに記載の方法。
【請求項１５】
信号を伝送する方法であって、
ネットワーク機器は信号伝送に用いられるビーム数を確定し又は前記信号の伝送個数Ｎを確定し、Ｎは正の整数であること、及び
前記ネットワーク機器は端末装置へ同期信号及び／又は同期チャネルを送信し、前記同期信号及び／又は前記同期チャネルは前記ビーム数又は前記伝送個数Ｎに基づいて生成されたものであることを特徴とする信号を伝送する方法。
【請求項１６】
前記方法は、
前記ネットワーク機器は前記ビーム数又は前記伝送個数Ｎに基づき、前記ビーム数又は前記伝送個数Ｎに対応するシーケンス情報を確定することを更に含み、
前記ネットワーク機器は端末装置へ同期信号を送信するのは、
前記ネットワーク機器は前記端末装置へ前記シーケンス情報に基づいて生成した同期信号を送信することを含むことを特徴とする請求項１５に記載の方法。
【請求項１７】
前記同期信号は一次同期信号及び二次同期信号を含み、前記方法は、
前記ネットワーク機器は前記ビーム数又は前記伝送個数Ｎに基づき、前記ビーム数又は前記伝送個数Ｎに対応する前記一次同期信号と前記二次同期信号との間の差分とした第１時間領域リソース単元の数を確定すること、又は
前記ネットワーク機器は前記ビーム数又は前記伝送個数Ｎに基づき、前記ビーム数又は前記伝送個数Ｎに対応する前記一次同期信号と前記二次同期信号との間の差分とした第１周波数領域リソース単元の数を確定すること、を更に含み、
前記ネットワーク機器は端末装置へ同期信号を送信するのは、
前記ネットワーク機器は前記第１時間領域リソース単元の数又は前記第１周波数領域リソース単元の数に基づき、前記端末装置へ前記同期信号を送信することを含むことを特徴とする請求項１５に記載の方法。
【請求項１８】
前記方法は、
前記ネットワーク機器は前記ビーム数又は前記伝送個数Ｎに基づき、前記ビーム数又は前記伝送個数Ｎに対応する指示情報を確定することを更に含み、
前記ネットワーク機器は端末装置へ同期チャネルを送信するのは、
前記ネットワーク機器は前記端末装置へ前記指示情報が含まれる同期チャネルを送信することを含むことを特徴とする請求項１５に記載の方法。
【請求項１９】
前記方法は、
前記ネットワーク機器は前記ビーム数又は前記伝送個数Ｎに基づき、前記ビーム数又は前記伝送個数Ｎに対応する前記同期信号と前記同期チャネルとの間の差分とした第２時間領域リソース単元の数を確定すること、又は
前記ネットワーク機器は前記ビーム数又は前記伝送個数Ｎに基づき、前記ビーム数又は前記伝送個数Ｎに対応する前記同期信号と前記同期チャネルとの間の差分とした第２周波数領域リソース単元の数を確定することを更に含み、
前記ネットワーク機器は端末装置へ同期信号及び同期チャネルを送信するのは、
前記ネットワーク機器は前記第２時間領域リソース単元の数又は前記第２周波数領域リソース単元の数に基づき、前記端末装置へ前記同期信号及び前記同期チャネルを送信することを含むことを特徴とする請求項１５に記載の方法。
【請求項２０】
前記方法は、
前記ネットワーク機器は前記ビーム数又は前記伝送個数Ｎに基づき、前記ビーム数又は前記伝送個数Ｎに対応する前記同期信号の物理リソースを確定すること、又は
前記ネットワーク機器は前記ビーム数又は前記伝送個数Ｎに基づき、前記ビーム数又は前記伝送個数Ｎに対応する前記同期チャネルの物理リソースを確定することを更に含み、
前記ネットワーク機器は端末装置へ同期信号又は同期チャネルを送信するのは、
前記ネットワーク機器は前記同期信号の物理リソースに基づき、前記端末装置へ前記同期信号を送信すること、又は
前記ネットワーク機器は前記同期チャネルの物理リソースに基づき、前記端末装置へ前記同期チャネルを送信することを含むことを特徴とする請求項１５に記載の方法。
【請求項２１】
前記信号は、放送信号、ランダムアクセス信号、参照信号、制御信号及びビーム参照信号の中の少なくとも１種を含むことを特徴とする請求項１５〜２０のいずれかに記載の方法。
【請求項２２】
信号を伝送する端末装置であって、前記端末装置は、
検出した同期信号及び／又は同期チャネルに基づき、信号伝送に用いられるビーム数を確定し又は前記信号の伝送個数Ｎを確定することに用いられ、Ｎは正の整数である確定ユニット、及び
前記ビーム数又は前記伝送個数Ｎに基づき、ネットワーク機器と前記信号の伝送を行うための伝送ユニットを備えることを特徴とする信号を伝送する端末装置。
【請求項２３】
前記同期信号にシーケンス情報が含まれ、前記確定ユニットは、具体的に、
前記シーケンス情報に基づき、前記シーケンス情報に対応する前記ビーム数又は前記伝送個数Ｎを確定することに用いられることを特徴とする請求項２２に記載の端末装置。
【請求項２４】
前記同期信号は一次同期信号及び二次同期信号を含み、前記確定ユニットは、具体的に、
前記一次同期信号と前記二次同期信号との間の差分とした第１時間領域リソース単元の数に基づき、前記第１時間領域リソース単元の数に対応する前記ビーム数又は前記伝送個数Ｎを確定すること、又は
前記一次同期信号と前記二次同期信号との間の差分とした第１周波数領域リソース単元の数に基づき、前記第１周波数領域リソース単元の数に対応する前記ビーム数又は前記伝送個数Ｎを確定することに用いられることを特徴とする請求項２２に記載の端末装置。
【請求項２５】
前記同期チャネルに前記ビーム数又は前記伝送個数Ｎを指示するための指示情報が含まれ、前記確定ユニットは、具体的に、
前記指示情報に基づき、前記ビーム数又は前記伝送個数Ｎを確定することに用いられることを特徴とする請求項２２に記載の端末装置。
【請求項２６】
前記確定ユニットは、具体的に、
前記検出した同期チャネルに用いられるスクランブルシーケンスに基づき、前記スクランブルシーケンスに対応する前記ビーム数又は前記伝送個数Ｎを確定することに用いられることを特徴とする請求項２２に記載の端末装置。
【請求項２７】
前記確定ユニットは、具体的に、
前記同期信号と前記同期チャネルとの間の差分とした第２時間領域リソース単元の数に基づき、前記第２時間領域リソース単元の数に対応する前記ビーム数又は前記伝送個数Ｎを確定すること、又は
前記同期信号と前記同期チャネルとの間の差分とした第２周波数領域リソース単元の数に基づき、前記第２周波数領域リソース単元の数に対応する前記ビーム数又は前記伝送個数Ｎを確定することに用いられることを特徴とする請求項２２に記載の端末装置。
【請求項２８】
前記確定ユニットは、具体的に、
前記同期信号の物理リソースに基づき、前記物理信号の物理リソースに対応する前記ビーム数又は前記伝送個数Ｎを確定すること、又は
前記同期チャネルの物理リソースに基づき、前記同期チャネルの物理リソースに対応する前記ビーム数又は前記伝送個数Ｎを確定することに用いられることを特徴とする請求項２２に記載の端末装置。
【請求項２９】
前記確定ユニットは、具体的に、
前記同期信号又は前記同期チャネルに基づき、前記信号を伝送することに用いられるビームは１個又はＭ個であることを確定し、又は前記信号の伝送個数は１個又はＫ個であることを確定し、Ｍ及びＫはそれぞれ予め記憶された１より大きい正の整数であることに用いられることを特徴とする請求項２２に記載の端末装置。
【請求項３０】
前記同期信号及び同期チャネルを伝送する物理リソースは固定の相対位置を有し、及び／又は、前記同期チャネルに用いられるスクランブルシーケンスは前記同期信号に含まれるシーケンス情報に基づいて生成されたものであることを特徴とする請求項２２に記載の端末装置。
【請求項３１】
前記伝送ユニットは、具体的に、
前記ビーム数又は前記伝送個数Ｎに基づき、前記ビーム数又は前記伝送個数Ｎに対応する物理リソース又はシーケンスリソースを確定すること、及び
前記物理リソースで又は前記シーケンスリソースによって前記ネットワーク機器と前記信号の伝送を行うことに用いられることを特徴とする請求項２２に記載の端末装置。
【請求項３２】
前記伝送ユニットは、具体的に、
前記ビーム数に基づき、前記ネットワーク機器へ前記ビーム数に対応するビームフォーミングを行った後の前記信号を送信すること、又は
前記ネットワーク機器が送信した前記ビーム数に対応するビームフォーミングを行った後の前記信号を受信することに用いられることを特徴とする請求項２２に記載の端末装置。
【請求項３３】
前記伝送ユニットは、具体的に、
前記伝送個数Ｎに基づき、前記ネットワーク機器へＮ個の前記信号を送信すること、又は
前記ネットワーク機器は前記伝送個数Ｎに基づき送信したＮ個の前記信号を受信することに用いられることを特徴とする請求項２２に記載の端末装置。
【請求項３４】
前記Ｎ個の前記信号は異なるビームによってフォーミングし、Ｎは１より大きい正の整数であることを特徴とする請求項２２に記載の端末装置。
【請求項３５】
前記信号は、放送信号、ランダムアクセス信号、参照信号、制御信号及びビーム参照信号の中の少なくとも１種を含むことを特徴とする請求項２２に記載の端末装置。
【請求項３６】
信号を伝送するネットワーク機器であって、前記ネットワーク機器は、
信号伝送に用いられるビーム数を確定し又は前記信号の伝送個数Ｎを確定することに用いられ、Ｎは正の整数である第１確定ユニット、及び
端末装置へ同期信号及び／又は同期チャネルを送信することに用いられ、前記同期信号及び／又は前記同期チャネルは前記ビーム数又は前記伝送個数Ｎに基づいて生成されたものである送信ユニットを備えることを特徴とする信号を伝送するネットワーク機器。
【請求項３７】
前記ネットワーク機器は、
前記ビーム数又は前記伝送個数Ｎに基づき、前記ビーム数又は前記伝送個数Ｎに対応するシーケンス情報を確定するための第２確定ユニットを更に備え、
前記送信ユニットは、具体的に、
前記端末装置へ前記シーケンス情報に基づいて生成した同期信号を送信することに用いられることを特徴とする請求項３６に記載のネットワーク機器。
【請求項３８】
前記同期信号は一次同期信号及び二次同期信号を含み、前記ネットワーク機器は、
前記ビーム数又は前記伝送個数Ｎに基づき、前記ビーム数又は前記伝送個数Ｎに対応する前記一次同期信号と前記二次同期信号との間の差分とした第１時間領域リソース単元の数を確定し、又は
前記ビーム数又は前記伝送個数Ｎに基づき、前記ビーム数又は前記伝送個数Ｎに対応する前記一次同期信号と前記二次同期信号との間の差分とした第１周波数領域リソース単元の数を確定するための第３確定ユニットを更に備え、
前記送信ユニットは、具体的に、
前記第１時間領域リソース単元の数又は前記第１周波数領域リソース単元の数に基づき、前記端末装置へ前記同期信号を送信することに用いられることを特徴とする請求項３６に記載のネットワーク機器。
【請求項３９】
前記ネットワーク機器は、
前記ビーム数又は前記伝送個数Ｎに基づき、前記ビーム数又は前記伝送個数Ｎに対応する指示情報を確定するための第４確定ユニットを更に備え、
前記送信ユニットは、具体的に、
前記端末装置へ前記指示情報が含まれる同期チャネルを送信することに用いられることを特徴とする請求項３６に記載のネットワーク機器。
【請求項４０】
前記ネットワーク機器は、
前記ビーム数又は前記伝送個数Ｎに基づき、前記ビーム数又は前記伝送個数Ｎに対応する前記同期信号と前記同期チャネルとの間の差分とした第２時間領域リソース単元の数を確定し、又は
前記ビーム数又は前記伝送個数Ｎに基づき、前記ビーム数又は前記伝送個数Ｎに対応する前記同期信号と前記同期チャネルとの間の差分とした第２周波数領域リソース単元の数を確定するための第５確定ユニットを更に備え、
前記送信ユニットは、具体的に、
前記第２時間領域リソース単元の数又は前記第２周波数領域リソース単元の数に基づき、前記端末装置へ前記同期信号及び前記同期チャネルを送信することに用いられることを特徴とする請求項３６に記載のネットワーク機器。
【請求項４１】
前記ネットワーク機器は、
前記ビーム数又は前記伝送個数Ｎに基づき、前記ビーム数又は前記伝送個数Ｎに対応する前記同期信号の物理リソースを確定する、又は
前記ビーム数又は前記伝送個数Ｎに基づき、前記ビーム数又は前記伝送個数Ｎに対応する前記同期チャネルの物理リソースを確定するための第６確定ユニットを更に備え、
前記送信ユニットは、具体的に、
前記同期信号の物理リソースに基づき、前記端末装置へ前記同期信号を送信する、又は
前記同期チャネルの物理リソースに基づき、前記端末装置へ前記同期チャネルを送信することに用いられることを特徴とする請求項３６に記載のネットワーク機器。
【請求項４２】
前記信号は、放送信号、ランダムアクセス信号、参照信号、制御信号及びビーム参照信号の中の少なくとも１種を含むことを特徴とする請求項３６に記載のネットワーク機器。
【発明の詳細な説明】
【技術分野】
【０００１】
本発明は通信分野に関し、特に信号を伝送する方法、端末装置及びネットワーク機器に関する。
【背景技術】
【０００２】
多入力多出力（Ｍｕｌｔｉｐｌｅ−Ｉｎｐｕｔ  Ｍｕｌｔｉｐｌｅ−Ｏｕｔｐｕｔ、ＭＩＭＯ）技術は長期的な進化（Ｌｏｎｇ  Ｔｅｒｍ  Ｅｖｏｌｕｔｉｏｎ、ＬＴＥ）システムのコア技術の一つであり、システムの伝送レートを大幅に向上させることができる。ビームフォーミングはアンテナアレイに基づくシグナル前処理技術であり、各アンテナアレイ素子に信号を送信する重みを調整することによって、指向性があるビームを生成する。
【０００３】
従来の技術において、信号の伝送は一般的に最も多く１つのビームによって伝送し、信号伝送に用いられるビーム数又は信号の伝送個数を柔軟に設定することができず、セルアクセスの品質に影響を及ぼす。
【発明の概要】
【発明が解決しようとする課題】
【０００４】
これを鑑みて、本発明の実施例は信号を伝送する方法及びデバイスを提供し、信号伝送に用いられるビーム数又は信号の伝送個数を柔軟に設定することができ、それによりセルアクセスの品質を向上させ、且つシングルビーム伝達メカニズムをサポートするだけでなく、マルチビーム伝達メカニズムをサポートするため、検出の複雑さとビームフォーミングゲインとの間に良好な折衷を有する。
【課題を解決するための手段】
【０００５】
第１態様は、信号を伝送する方法を提供し、該方法は、端末装置は検出した同期信号及び／又は同期チャネルに基づき、信号伝送に用いられるビーム数を確定し又は該信号の伝送個数Ｎを確定し、Ｎが正の整数であること、及び該端末装置は該ビーム数又は該伝送個数Ｎに基づき、ネットワーク機器と該信号の伝送を行うことを含む。  
検出した同期信号及び／又は同期チャネルに基づいて、信号伝送に用いられるビーム数又は信号の伝送個数を柔軟に設定することができ、それによりセルアクセスの品質を向上させ、且つシングルビーム伝達メカニズムをサポートするだけでなく、マルチビーム伝達メカニズムをサポートするため、検出の複雑さとビームフォーミングゲインとの間に良好な折衷を有する。
【０００６】
選択可能に、信号の伝送個数はリソース数で示されることができる。例えば、チャネル状態情報−参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）リソース数である。
【０００７】
第１態様を組み合わせ、第１態様の第１種の可能な実現方式において、該同期信号にシーケンス情報が含まれ、該端末装置は検出した同期信号に基づき、信号伝送に用いられるビーム数を確定し又は該信号の伝送個数Ｎを確定するのは、該端末装置は該シーケンス情報に基づき、該シーケンス情報に対応する該ビーム数又は該伝送個数Ｎを確定することを含む。
【０００８】
選択可能に、シーケンス情報とビーム数又は伝送個数との間の対応関係は、ネットワーク機器と端末装置との間により予め約束されてもよく、ネットワーク機器により設定されて、シグナリングによって端末装置に指示してもよい。
【０００９】
選択可能に、シーケンス情報はシーケンス生成に用いられるシーケンス識別子であってもよい。該シーケンス情報は一次同期信号により取得されてもよいし、二次同期信号により取得されてもよいし、一次同期信号及び二次同期信号により共同取得されてもよい。
【００１０】
第１態様又は上記第１態様のいずれかの実現方式を組み合わせ、第１態様の第２種の可能な実現方式において、該同期信号は一次同期信号及び二次同期信号を含み、該端末装置は検出した同期信号に基づき、信号伝送に用いられるビーム数を確定し又は該信号の伝送個数Ｎを確定するのは、該端末装置は該一次同期信号と該二次同期信号との間の差分とした第１時間領域リソース単元の数に基づき、該第１時間領域リソース単元の数に対応する該ビーム数又は該伝送個数Ｎを確定すること、又は該端末装置は該一次同期信号と該二次同期信号との間の差分とした第１周波数領域リソース単元の数に基づき、該第１周波数領域リソース単元の数に対応する該ビーム数又は該伝送個数Ｎを確定することを含む。
【００１１】
選択可能に、第１時間領域リソース単元の数とビーム数又は伝送個数との間の対応関係は、ネットワーク機器と端末装置との間により予め約束されてもよく、ネットワーク機器により設定されて、シグナリングによって端末装置に指示してもよい。
【００１２】
選択可能に、第１周波数領域リソース単元の数とビーム数又は伝送個数との間の対応関係は、ネットワーク機器と端末装置との間により予め約束されてもよく、ネットワーク機器により設定されて、シグナリングによって端末装置に指示してもよい。
【００１３】
時間領域リソース単元はサブフレーム、ＯＦＤＭシンボル、タイムスロット、短縮タイムスロット又は短縮サブフレーム等であってもよい。
【００１４】
第１態様又は上記第１態様のいずれかの実現方式を組み合わせ、第１態様の第３種の可能な実現方式において、該同期チャネルに該ビーム数又は該伝送個数Ｎを指示するための指示情報が含まれ、該端末装置は検出した同期チャネルに基づき、信号伝送に用いられるビーム数を確定し又は該信号の伝送個数Ｎを確定するのは、該端末装置は該指示情報に基づき、該ビーム数又は該伝送個数Ｎを確定することを含む。
【００１５】
選択可能に、該指示情報とビーム数又は伝送個数との間の対応関係は、ネットワーク機器と端末装置との間により予め約束されてもよく、ネットワーク機器により設定されて、シグナリングによって端末装置に指示してもよい。
【００１６】
選択可能に、該指示情報は更に現在ビームのビーム識別子を指示することに用いられてもよい。
【００１７】
第１態様又は上記第１態様のいずれかの実現方式を組み合わせ、第１態様の第４種の可能な実現方式において、該端末装置は検出した同期チャネルに基づき、信号伝送に用いられるビーム数を確定し又は該信号の伝送個数Ｎを確定するのは、端末装置は該検出した同期チャネルに用いられるスクランブルシーケンスに基づき、該スクランブルシーケンスに対応する該ビーム数又は該伝送個数Ｎを確定することを含む。
【００１８】
選択可能に、端末装置はシーケンス識別子とビーム数又は伝送個数との対応関係を予め記憶することができ、そしてスクランブルシーケンス生成に用いられるシーケンス識別子に基づきビーム数又は伝送個数を確定する。
【００１９】
第１態様又は上記第１態様のいずれかの実現方式を組み合わせ、第１態様の第５種の可能な実現方式において、該端末装置は検出した同期信号及び同期チャネルに基づき、信号伝送に用いられるビーム数を確定し又は該信号の伝送個数Ｎを確定するのは、該端末装置は該同期信号と該同期チャネルとの間の差分とした第２時間領域リソース単元の数に基づき、該第２時間領域リソース単元の数に対応する該ビーム数又は該伝送個数Ｎを確定すること、又は該端末装置は該同期信号及び該同期チャネルとの間の差分とした第２周波数領域リソース単元の数に基づき、該第２周波数領域リソース単元の数に対応する該ビーム数又は該伝送個数Ｎを確定することを含む。
【００２０】
選択可能に、第２時間領域リソース単元の数とビーム数又は伝送個数との間の対応関係は、ネットワーク機器と端末装置との間により予め約束されてもよく、ネットワーク機器により設定されて、シグナリングによって端末装置に指示してもよい。
【００２１】
選択可能に、第２周波数領域リソース単元の数とビーム数又は伝送個数との間の対応関係は、ネットワーク機器と端末装置との間により予め約束されてもよく、ネットワーク機器により設定されて、シグナリングによって端末装置に指示してもよい。
【００２２】
第１態様又は上記第１態様のいずれかの実現方式を組み合わせ、第１態様の第６種の可能な実現方式において、該端末装置は検出した同期信号又は同期チャネルに基づき、信号伝送に用いられるビーム数を確定し又は該信号の伝送個数Ｎを確定するのは、該端末装置は該同期信号の物理リソースに基づき、該物理信号の物理リソースに対応する該ビーム数又は該伝送個数Ｎを確定すること、又は該端末装置は該同期チャネルの物理リソースに基づき、該同期チャネルの物理リソースに対応する該ビーム数又は該伝送個数Ｎを確定することを含む。
【００２３】
選択可能に、同期信号の物理リソースとビーム数又は伝送個数との間の対応関係は、ネットワーク機器と端末装置との間により予め約束されてもよく、ネットワーク機器により設定されて、シグナリングによって端末装置に指示してもよい。
【００２４】
選択可能に、同期チャネルの物理リソースとビーム数又は伝送個数との間の対応関係は、ネットワーク機器と端末装置との間により予め約束されてもよく、ネットワーク機器により設定されて、シグナリングによって端末装置に指示してもよい。
【００２５】
第１態様又は上記第１態様のいずれかの実現方式を組み合わせ、第１態様の第７種の可能な実現方式において、該端末装置は検出した同期信号及び／又は同期チャネルに基づき、信号伝送に用いられるビーム数を確定し又は該信号の伝送個数Ｎを確定するのは、該端末装置は該同期信号又は該同期チャネルに基づき、該信号伝送に用いられるビームは１つ又はＭ個であることを確定し、又は該信号の伝送個数は１つ又はＫ個であることを確定し、Ｍ及びＫはそれぞれ予め記憶された１より大きい正の整数であることを含む。
【００２６】
第１態様又は上記第１態様のいずれかの実現方式を組み合わせ、第１態様の第８種の可能な実現方式において、該同期信号及び同期チャネルを伝送する物理リソースは固定する相対位置を有し、及び／又は、該同期チャネルに用いられるスクランブルシーケンスは該同期信号に含まれるシーケンス情報に基づいて生成されるものである。
【００２７】
選択可能に、同期信号及び同期チャネルが所在する伝送時間単元は固定する時間オフセットを有する。
【００２８】
第１態様又は上記第１態様のいずれかの実現方式を組み合わせ、第１態様の第９種の可能な実現方式において、該端末装置は該ビーム数又は該伝送個数Ｎに基づき、ネットワーク機器と該信号の伝送を行うのは、該端末装置は該ビーム数又は該伝送個数Ｎに基づき、該ビーム数又は該伝送個数Ｎに対応する物理リソース又はシーケンスリソースを確定すること、及び該端末装置は該物理リソースに又は該シーケンスリソースを使用して該ネットワーク機器と該信号の伝送を行うことを含む。
【００２９】
第１態様又は上記第１態様のいずれかの実現方式を組み合わせ、第１態様の第１０種の可能な実現方式において、該端末装置は該ビーム数に基づき、ネットワーク機器と該信号の伝送を行うのは、該端末装置は該ビーム数に基づき、該ネットワーク機器へ該ビーム数に対応するビームフォーミングを行った該信号を送信すること、又は該端末装置は該ネットワーク機器が送信した該ビーム数に対応するビームフォーミングを行った該信号を受信することを含む。
【００３０】
第１態様又は上記第１態様のいずれかの実現方式を組み合わせ、第１態様の第１１種の可能な実現方式において、該端末装置は該伝送個数Ｎに基づき、ネットワーク機器と該信号の伝送を行うのは、該端末装置は該伝送個数Ｎに基づき、該ネットワーク機器へＮ個の該信号を送信すること、又は該端末装置は該ネットワーク機器が該伝送個数Ｎに基づき送信したＮ個の該信号を受信することを含む。
【００３１】
第１態様又は上記第１態様のいずれかの実現方式を組み合わせ、第１態様の第１２種の可能な実現方式において、該Ｎ個の該信号は異なるビームによってフォーミングされ、Ｎは１より大きい正の整数である。
【００３２】
第１態様又は上記第１態様のいずれかの実現方式を組み合わせ、第１態様の第１３種の可能な実現方式において、該信号は、放送信号、ランダムアクセス信号、参照信号、制御信号及びビーム参照信号の中の少なくとも１種を含む。
【００３３】
第２態様は、信号を伝送する方法を提供し、該方法は、ネットワーク機器は信号伝送に用いられるビーム数を確定し又は該信号の伝送個数Ｎを確定し、Ｎは正の整数であること、及び該ネットワーク機器は端末装置へ同期信号及び／又は同期チャネルを送信し、該同期信号及び／又は該同期チャネルは該ビーム数又は該伝送個数Ｎに基づいて生成したものであることを含む。
【００３４】
端末装置へビーム数又は伝送個数に基づいて生成した同期信号及び／又は同期チャネルを送信することは、端末装置は検出した同期信号及び／又は同期チャネルに基づいて、信号伝送に用いられるビーム数又は信号の伝送個数を柔軟に設定することができるようにして、それによりセルアクセスの品質を向上させ、且つシングルビーム伝達メカニズムをサポートするだけでなく、マルチビーム伝達メカニズムをサポートするため、検出の複雑さとビームフォーミングゲインとの間に良好な折衷を有する。
【００３５】
第２態様又は上記第２態様のいずれかの実現方式を組み合わせ、第２態様の第１種の可能な実現方式において、該方法は、該ネットワーク機器は該ビーム数又は該伝送個数Ｎに基づき、該ビーム数又は該伝送個数Ｎに対応するシーケンス情報を確定することを更に含み、該ネットワーク機器は端末装置へ同期信号を送信するのは、該ネットワーク機器は該端末装置へ該シーケンス情報に基づいて生成した同期信号を送信することを含む。
【００３６】
第２態様又は上記第２態様のいずれかの実現方式を組み合わせ、第２態様の第２種の可能な実現方式において、該同期信号は一次同期信号及び二次同期信号を含み、該方法は、該ネットワーク機器は該ビーム数又は該伝送個数Ｎに基づき、該ビーム数又は該伝送個数Ｎに対応する該一次同期信号と該二次同期信号との間の差分とした第１時間領域リソース単元の数を確定すること、又は該ネットワーク機器は該ビーム数又は該伝送個数Ｎに基づき、該ビーム数又は該伝送個数Ｎに対応する該一次同期信号と該二次同期信号との間の差分とした第１周波数領域リソース単元の数を確定することを更に含み、該ネットワーク機器は端末装置へ同期信号を送信するのは、該ネットワーク機器は該第１時間領域リソース単元の数又は該第１周波数領域リソース単元の数に基づき、該端末装置へ該同期信号を送信することを含む。
【００３７】
第２態様又は上記第２態様のいずれかの実現方式を組み合わせ、第２態様の第３種の可能な実現方式において、該方法は、該ネットワーク機器は該ビーム数又は該伝送個数Ｎに基づき、該ビーム数又は該伝送個数Ｎに対応する指示情報を確定することを更に含み、該ネットワーク機器は端末装置へ同期チャネルを送信するのは、該ネットワーク機器は該端末装置へ該指示情報が含まれる同期チャネルを送信することを含む。
【００３８】
第２態様又は上記第２態様のいずれかの実現方式を組み合わせ、第２態様の第４種の可能な実現方式において、該方法は、該ネットワーク機器は該ビーム数又は該伝送個数Ｎに基づき、該ビーム数又は該伝送個数Ｎに対応する該同期信号と該同期チャネルとの間の差分とした第２時間領域リソース単元の数を確定すること、又は該ネットワーク機器は該ビーム数又は該伝送個数Ｎに基づき、該ビーム数又は該伝送個数Ｎに対応する該同期信号と該同期チャネルとの間の差分とした第２周波数領域リソース単元の数を確定することを更に含み、該ネットワーク機器は端末装置へ同期信号及び同期チャネルを送信するのは、該ネットワーク機器は該第２時間領域リソース単元の数又は該第２周波数領域リソース単元の数に基づき、該端末装置へ該同期信号及び該同期チャネルを送信することを含む。
【００３９】
第２態様又は上記第２態様のいずれかの実現方式を組み合わせ、第２態様の第５種の可能な実現方式において、該方法は、該ネットワーク機器は該ビーム数又は該伝送個数Ｎに基づき、該ビーム数又は該伝送個数Ｎに対応する該同期信号の物理リソースを確定すること、又は該ネットワーク機器は該ビーム数又は該伝送個数Ｎに基づき、該ビーム数又は該伝送個数Ｎに対応する該同期チャネルの物理リソースを確定することを更に含み、該ネットワーク機器は端末装置へ同期信号又は同期チャネルを送信するのは、該ネットワーク機器は該同期信号の物理リソースに基づき、該端末装置へ該同期信号を送信すること、又は該ネットワーク機器は該同期チャネルの物理リソースに基づき、該端末装置へ該同期チャネルを送信することを含む。
【００４０】
第２態様又は上記第２態様のいずれかの実現方式を組み合わせ、第２態様の第６種の可能な実現方式において、該信号は、放送信号、ランダムアクセス信号、参照信号、制御信号及びビーム参照信号の中の少なくとも１種を含む。
【００４１】
第３態様は、上記第１態様又は第１態様の任意の可能な実現方式における方法を実行するための端末装置を提供する。具体的に、該端末は上記第１態様又は第１態様の任意の可能な実現方式における方法を実行するためのユニットを備える。
【００４２】
第４態様は、上記第２態様又は第２態様の任意の可能な実現方式における方法を実行するためのネットワーク機器を提供する。具体的に、該端末は上記第２態様又は第２態様の任意の可能な実現方式における方法を実行するためのユニットを備える。
【００４３】
第５態様は、端末装置を提供し、該装置はメモリ、プロセッサー、トランシーバ及びバスシステムを備える。メモリ、プロセッサー及びトランシーバはバスシステムによって接続され、該メモリは命令を記憶することに用いられ、該プロセッサーは該メモリに記憶される命令を実行することに用いられ、該命令が実行される際に、該プロセッサーは第１態様の方法を実行し、且つトランシーバが入力したデータ及び情報を受信し、操作結果等のデータを出力するように制御する。
【００４４】
第６態様は、ネットワーク機器を提供し、該ネットワーク機器はメモリ、プロセッサー、トランシーバ及びバスシステムを備える。メモリ、プロセッサー及びトランシーバはバスシステムによって接続され、該メモリは命令を記憶することに用いられ、該プロセッサーは該メモリに記憶される命令を実行することに用いられ、該命令が実行される際に、該プロセッサーは第２態様の方法を実行し、且つトランシーバが入力したデータ及び情報を受信し、操作結果等のデータを出力するようにを制御する。
【００４５】
第７態様は、上記方法に用いられるコンピュータソフトウェア命令を記憶するためのコンピュータ記憶媒体を提供し、上記態様を実行するために設計されたプログラムを含む。
【００４６】
本出願において、端末装置及びネットワーク機器の名称はデバイスそのものに対して制限しなく、実際の実現において、これらのデバイスはその他の名称で表示されることができる。各デバイスの機能は本発明と類似である限り、本発明の請求項及びその等価技術の範囲に属する。
【００４７】
本出願のこれらの態様又はその他の態様は以下の実施例の説明ではより明らかに理解やすくする。
【図面の簡単な説明】
【００４８】
本発明の実施例の技術的解決手段をより明確的に説明するために、以下、本発明の実施例に使用する必要がある図面を簡単に説明し、明らかに、以下で説明する図面はただ本発明のある実施例であり、当業者にとって、創造的な労力を払わない前提で、更にこれらの図面に基づいてその他の図面を取得することができる。
【００４９】
【図１】図１は本発明の実施例による可能なアプリケーションシナリオを示す模式図である。
【図２】図２は可能なビームフォーミングを示す模式図である。
【図３】図３は本発明の実施例による信号を伝送する方法を示す模式的なブロック図である。
【図４】図４は本発明の実施例による信号を伝送する方法を示す他の模式的なブロック図である。
【図５】図５は本発明の実施例による信号を伝送する端末装置を示す模式的なブロック図である。
【図６】図６は本発明の実施例による信号を伝送するネットワーク機器を示す模式的なブロック図である。
【図７】図７は本発明の実施例による信号を伝送する端末装置を示す他の模式的なブロック図である。
【図８】図８は本発明の実施例による信号を伝送するネットワーク機器を示す他の模式的なブロック図である。
【発明を実施するための形態】
【００５０】
以下、本発明の実施例における図面を参照して、本発明の実施例における技術的解決手段を明確且つ完全に説明し、明らかに、説明される実施例は全部の実施例ではなく、本発明の一部の実施例だけである。本発明における実施例に基づいて、当業者は創造的な労働なしに得られたすべての他の実施例は、いずれも本発明が保護する範囲に属する。
【００５１】
理解すべきなのは、本発明の実施例による技術的解決手段は様々な通信システム、例えば：グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多重アクセス（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、長期的な進化（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は将来の５Ｇシステム等に応用されることができる。
【００５２】
特に、本発明の実施例による技術的解決手段は様々な非直交多重アクセス技術に基づく通信システム、例えばスパースコード多重アクセス（Ｓｐａｒｓｅ  Ｃｏｄｅ  Ｍｕｌｔｉｐｌｅ  Ａｃｃｅｓｓ、「ＳＣＭＡ」と略称）システム、低密度シグネチャ（Ｌｏｗ  Ｄｅｎｓｉｔｙ  Ｓｉｇｎａｔｕｒｅ、「ＬＤＳ」と略称）システム等に応用されることができる、勿論、ＳＣＭＡシステム及びＬＤＳシステムは通信分野においてその他の名称と呼ばれてもよく、更に、本発明の実施例による技術的解決手段は非直交多重アクセス技術を使用したマルチキャリア伝送システム、例えば非直交多重アクセス技術を採用した直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、「ＯＦＤＭと略称」）、フィルタバンクマルチキャリア（Ｆｉｌｔｅｒ  Ｂａｎｋ  Ｍｕｌｔｉ−Ｃａｒｒｉｅｒ、「ＦＢＭＣ」と略称）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、「ＧＦＤＭ」と略称）、フィルタリングされた直交周波数分割多重（Ｆｉｌｔｅｒｅｄ−ＯＦＤＭ、「Ｆ−ＯＦＤＭ」と略称）システム等に応用されることができる。
【００５３】
本発明の実施例における端末装置はユーザ装置（Ｕｓｅｒ  Ｅｑｕｉｐｍｅｎｔ、ＵＥ）、アクセス端末、ユーザユニット、ユーザ局、移動局、移動台、遠隔局、遠隔端末、モバイルデバイス、ユーザ端末、端末、無線通信デバイス、ユーザエージェントまたはユーザデバイスを指してもよい。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルド装置、コンピューティング装置又は無線モデムに接続された他の処理装置、車載装置、ウェアラブル装置及び将来５Ｇネットワークにおける端末装置或いは将来進化された公衆陸上モバイルネットワーク（Ｐｕｂｌｉｃ  Ｌａｎｄ  Ｍｏｂｉｌｅ  Ｎｅｔｗｏｒｋ、ＰＬＭＮ）における端末装置等であってもよく、本発明の実施例は制限しない。
【００５４】
本発明の実施例におけるネットワーク機器は端末装置と通信するための装置であってもよく、該ネットワーク機器はＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよいし、ＷＣＤＭＡシステムにおける基地局（ＮｏｄｅＢ、ＮＢ）であってもよいし、ＬＴＥシステムにおける進化型基地局（Ｅｖｏｌｕｔｉｏｎａｌ  ＮｏｄｅＢ、ｅＮＢ又はｅＮｏｄｅＢ）であってもよいし、クラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオでのワイヤレスコントローラであってもよく、或いは該ネットワーク機器は中継局、アクセスポイント、車載装置、ウェアラブル装置及び将来５Ｇネットワークにおけるネットワーク機器或いは将来進化されたＰＬＭＮネットワークにおけるネットワーク機器等であってもよく、本発明の実施例は制限しない。
【００５５】
図１は本発明の１つのアプリケーションシナリオを示す模式図である。図１における通信システムは端末装置１０及びネットワーク機器２０を備えてもよい。ネットワーク機器２０は端末装置１０のために通信サービスを提供してコアネットワークにアクセスすることに用いられ、端末装置１０はネットワーク機器２０が送信した同期信号、放送信号等を検索することによってネットワークにアクセスし、それによりネットワークとの通信を行う。図１に示す矢印は端末装置１０とネットワーク機器２０との間のセルラーリンクによって行うアップリンク／ダウンリンク伝送を示すことができる。
【００５６】
ＬＴＥシステムにおけるシングルビーム伝達メカニズムと異なり、将来の通信システムにおいて、高周波帯域（中心周波数は６ＧＨｚ以上であり、典型的に例えば２８ＧＨｚである）でデータ伝送を行うことをサポートする必要があり、より高い伝送レートを達成するために、多入力多出力（Ｍｕｌｔｉｐｌｅ  Ｉｎｐｕｔ  Ｍｕｌｔｉｐｌｅ  Ｏｕｔｐｕｔ、ＭＩＭＯ）技術を採用する必要がある。高周波においてＭＩＭＯ技術を使用するのはアンテナの無線周波数デバイスに対する要求が高く、アンテナのハードウェアコスト（例えばアナログ／デジタルＡ／Ｄ、デジタル／アナログＤ／Ａコンバータ）も大きく増加する。コストを低減するために、高周波帯域で一般的にハイブリッドビームフォーミングの方式によって送受信無線周波数ユニットの数を減少する。図２に示すように、データ信号はデジタルビームフォーミングされた後に、各無線周波数ユニットのデジタル送信信号を形成し、デジタルアナログコンバータによってアナログ信号に変わる。各無線周波数ユニットに対応するアナログ信号は異なる位相シフタを通過して、アナログフォーミング信号を形成して異なるアンテナユニットで伝送し、それによりアナログドメインではビームフォーミングを行うことを実現する。このようなハイブリッドビームフォーミングの方法によって無線周波数チャネルの数を減少することができ、それによりハードウェアコストを低減させ、同時にフォーミングゲインを取得することができる。
【００５７】
図３は本発明の実施例による信号を伝送する方法１００を示す模式的なブロック図である。図３に示すように、該方法１００は、
端末装置は検出した同期信号及び／又は同期チャネルに基づき、信号伝送に用いられるビーム数を確定し又は前記信号の伝送個数Ｎを確定し、Ｎは正の整数であるＳ１１０、及び
前記端末装置は前記ビーム数又は前記伝送個数Ｎに基づき、ネットワーク機器と前記信号の伝送を行うＳ１２０を含む。
【００５８】
まず、以下の点を説明する必要がある。
１、ここの信号はアップリンク信号であってもよいし、ダウンリンク信号であってもよい。該信号は、放送信号、ランダムアクセス信号、参照信号、制御信号及びビーム参照信号の中の少なくとも１種を含んでもよい。
【００５９】
２、ここのビーム数及び伝送個数Ｎは一々対応する。具体的に、Ｎ個のビームを通過してＮ個のビームフォーミングされた信号を取得することができる。
【００６０】
３、ここのネットワーク機器と該信号の伝送を行うのは、ネットワーク機器と該信号の送受信を行うことを指す。端末装置はネットワーク機器が送信した該信号を受信することを指してもよいし、端末装置はネットワーク機器へ該信号を送信することを指してもよい。
【００６１】
通信技術の持続的な進化に伴って、将来の通信システムにおいて多様化のサービス種類を必要とし、マルチビーム伝達メカニズムが生まれた。伝送信号に用いられるビーム数又は信号の伝送個数を柔軟に設定するのは、セルアクセスの品質を向上させることができ、且つシングルビーム伝達メカニズムをサポートするだけでなく、マルチビーム伝達メカニズムをサポートするため、検出の複雑さとビームフォーミングゲインとの間に良好な折衷を有する。
【００６２】
理解すべきなのは、信号の伝送個数はリソース数で示されることができる。例えば、チャネル状態情報−参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）リソース数である。
【００６３】
選択可能に、本発明の実施例において、該同期信号にシーケンス情報が含まれ、該端末装置は検出した同期信号に基づき、信号伝送に用いられるビーム数を確定し又は該信号の伝送個数Ｎを確定するのは、該端末装置は該シーケンス情報に基づき、該シーケンス情報に対応する該ビーム数又は該伝送個数Ｎを確定することを含む。
【００６４】
選択可能に、シーケンス情報はシーケンス生成に用いられるシーケンス識別子であってもよい。該シーケンス情報は一次同期信号により取得されてもよいし、二次同期信号により取得されてもよいし、一次同期信号及び二次同期信号により共同取得してもよい。具体的に、端末装置はシーケンス情報とビーム数又は伝送個数との対応関係を予め記憶して、そしてシーケンス情報に基づきビーム数又は伝送個数を確定することができる。例えば、シーケンス識別子が０〜５０３である範囲に対応するビーム数又は伝送個数は１であり、即ちシングルビーム伝送であり、シーケンス識別子が５０４〜１００７である範囲に対応するビーム数又は伝送個数はＮであり、即ちマルチビーム伝送であり、Ｎは予め約束された１より大きい正の整数である。或いは、シーケンス識別子が０〜１００である範囲に対応するビーム数又は伝送個数は１であり、シーケンス識別子が１０１〜２００である範囲に対応するビーム数又は伝送個数は２であり、シーケンス識別子は２０１〜３００の範囲に対応するビーム数又は伝送個数は３である等。
【００６５】
選択可能に、本発明の実施例において、該同期信号は一次同期信号及び二次同期信号を含み、該端末装置は検出した同期信号に基づき、信号伝送に用いられるビーム数を確定し又は該信号の伝送個数Ｎを確定するのは、該端末装置は該一次同期信号と該二次同期信号との間の差分とした第１時間領域リソース単元の数に基づき、該第１時間領域リソース単元の数に対応する該ビーム数又は該伝送個数Ｎを確定すること、又は該端末装置は該一次同期信号と該二次同期信号との間の差分とした第１周波数領域リソース単元の数に基づき、該第１周波数領域リソース単元の数に対応する該ビーム数又は該伝送個数Ｎを確定することを含む。
【００６６】
具体的に、第１時間領域リソース単元の数は一次同期信号と二次同期信号との間の差分とした伝送時間単元の数であってもよい。ここの伝送時間単元はサブフレーム、ＯＦＤＭシンボル、タイムスロット、短縮タイムスロット、短縮サブフレーム等であってもよい。第１周波数領域リソース単元の数は物理リソースブロック（Ｐｈｙｓｉｃａｌ  Ｒｅｓｏｕｒｃｅ  Ｂｌｏｃｋ、ＰＲＢ）、サブキャリア等であってもよい。端末装置は該第１周波数領域リソース単元の数とビーム数或いは伝送個数との対応関係を予め記憶してもよい。端末装置は該第１時間領域リソース単元の数とビーム数又は伝送個数との対応関係を予め記憶してもよい。例えば、一次同期信号と二次同期信号との間の差はＡ個のＯＦＤＭシンボルであると、ビーム数又は伝送数は１であり、即ちシングルビーム伝送であり、一次同期信号と二次同期信号との間の差はＢ個のＯＦＤＭシンボルであると、ビーム数又は伝送数はＮであり、即ちマルチビーム伝送であり、Ｎは予め約束された値である。
【００６７】
選択可能に、本発明の実施例において、該同期チャネルに該ビーム数又は該伝送個数Ｎを指示するための指示情報が含まれ、該端末装置は検出した同期チャネルに基づき、信号伝送に用いられるビーム数を確定し又は該信号の伝送個数Ｎを確定するのは、該端末装置は該指示情報に基づき、該ビーム数又は該伝送個数Ｎを確定することを含む。該指示情報とビーム数又は伝送個数との間の対応関係はネットワーク機器と端末装置との間により予め約束されてもよく、ネットワーク機器により設定されて、シグナリングによって端末装置に指示してもよい。該指示情報は更に現在ビームのビーム識別子を指示することに用いられてもよい。例えば、該指示情報は１ｂｉｔであってもよく、該指示情報が０であると、シングルビームであるのを確定することができ、該指示情報が１であると、マルチビームＮであることを確定でき、Ｎは予め約束された１より大きい正の整数であるのを約束することができる。更に例えば、該指示情報は２ｂｉｔであり、００に対応するビーム数が１であり、０１に対応するビーム数は２であり、１０に対応するビーム数は３であり、１１に対応するビーム数は４であることを約束することができる。
【００６８】
選択可能に、本発明の実施例において、該端末装置は検出した同期チャネルに基づき、信号伝送に用いられるビーム数を確定し又は該信号の伝送個数Ｎを確定するのは、端末装置は該検出した同期チャネルに用いられるスクランブルシーケンスに基づき、該スクランブルシーケンスに対応する該ビーム数又は該伝送個数Ｎを確定することを含む。具体的に、端末装置はシーケンス識別子とビーム数或いは伝送個数との対応関係を予め記憶して、そしてスクランブルシーケンス生成に用いられるシーケンス識別子に基づきビーム数又は伝送個数を確定することができる。例えば、シーケンス識別子はＡより小さい際に、対応するビーム数或いは伝送個数はＫ１であり、シーケンス識別子はＡ以上Ｂより小さい際に、対応するビーム数或いは伝送個数はＫ２であり、シーケンス識別子はＢ以上である際に、対応するビーム数或いは伝送個数はＫ３である。
【００６９】
選択可能に、本発明の実施例において、該端末装置は検出した同期信号及び同期チャネルに基づき、信号伝送に用いられるビーム数を確定し又は該信号の伝送個数Ｎを確定するのは、該端末装置は該同期信号と該同期チャネルとの間の差分とした第２時間領域リソース単元の数に基づき、該第２時間領域リソース単元の数に対応する該ビーム数又は該伝送個数Ｎを確定することと、該端末装置は該同期信号及び該同期チャネルとの間の差分とした第２周波数領域リソース単元の数に基づき、該第２周波数領域リソース単元の数に対応する該ビーム数又は該伝送個数Ｎを確定することとを含む。
【００７０】
具体的に、第２時間領域リソース単元の数は同期信号と同期チャネルとの間の差分とした伝送時間単元の数であってもよい。ここで、伝送時間単元はサブフレーム、ＯＦＤＭシンボル、タイムスロット、短縮タイムスロット、短縮サブフレーム等であってもよい。第２周波数領域リソース単元の数は物理リソースブロック（Ｐｈｙｓｉｃａｌ  Ｒｅｓｏｕｒｃｅ  Ｂｌｏｃｋ、ＰＲＢ）、サブキャリア等であってもよい。端末装置は該第１周波数領域リソース単元の数とビーム数或いは伝送個数との対応関係を予め記憶することができる。端末装置は該第１時間領域リソース単元の数とビーム数又は伝送個数との対応関係を予め記憶してもよい。例えば、一次同期信号と二次同期信号との間の差はＡ個のＯＦＤＭシンボルであると、ビーム数又は伝送数量は１であり、即ちシングルビーム伝送であり、一次同期信号と二次同期信号との間の差はＢ個のＯＦＤＭシンボルであると、ビーム数又は伝送数量はＮであり、即ちマルチビーム伝送であり、Ｎは予め約束された値である。
【００７１】
選択可能に、本発明の実施例において、該端末装置は検出した同期信号又は同期チャネルに基づき、信号伝送に用いられるビーム数を確定し又は該信号の伝送個数Ｎを確定するのは、該端末装置は該同期信号の物理リソースに基づき、該物理信号の物理リソースに対応する該ビーム数又は該伝送個数Ｎを確定すること、又は該端末装置は該同期チャネルの物理リソースに基づき、該同期チャネルの物理リソースに対応する該ビーム数又は該伝送個数Ｎを確定することを含む。
【００７２】
選択可能に、同期信号の物理リソースとビーム数又は伝送個数との間の対応関係はネットワーク機器と端末装置との間により予め約束されてもよく、ネットワーク機器により設定されて、シグナリングによって端末装置に指示してもよい。
【００７３】
選択可能に、同期チャネルの物理リソースとビーム数又は伝送個数との間の対応関係はネットワーク機器と端末装置との間により予め約束されてもよく、ネットワーク機器により設定されて、シグナリングによって端末装置に指示してもよい。
【００７４】
選択可能に、本発明の実施例において、該端末装置は検出した同期信号及び／又は同期チャネルに基づき、信号伝送に用いられるビーム数を確定し又は該信号の伝送個数Ｎを確定するのは、該端末装置は該同期信号又は該同期チャネルに基づき、該信号伝送に用いられるビームは１つ又はＭ個であることを確定し、又は該信号の伝送個数は１つ又はＫ個であることを確定し、Ｍ及びＫはそれぞれ予め記憶された１より大きい正の整数であることを含む。
【００７５】
一特別な実施例として、該ビーム数又は伝送個数は０であってもよく、この時、端末は信号を受信する必要がない。当業者は、ある信号はマルチビームメカニズムのみで伝送できることを理解し、これらの信号を伝送するビームは１であると、端末装置はこれらの信号の送受信を行わなくてもよく、例えば、前記信号はビーム参照信号であり、ビーム数は１であると、前記ビーム参照信号を受信する必要がない。更に例えば、前記信号はビーム参照信号であり、且つ伝送個数は０であると、前記ビーム参照信号を受信する必要がないことができる。理解すべきなのは、本発明はビーム参照信号のみを例として説明し、本発明はこれに制限されない。
【００７６】
更に理解すべきなのは、上記の様々な対応関係はネットワーク機器により端末装置に指示されてもよいし、ネットワーク機器及び端末装置により予め約束されてもよい。且つ上記で同期信号及び／又は同期チャネルのある関連特性のみを例として説明し、本発明はこれに制限されない。
【００７７】
一具体的な実施例として、端末装置は同期信号を検出して、同期信号からブラインド検出して同期シーケンス識別子を取得し、該同期シーケンス識別子は一次同期信号に含まれる識別子１及び二次同期信号に含まれる識別子２により取得される。端末は前記同期シーケンス識別子に基づき、ＰＢＣＨ伝送に用いられるビーム数Ｎを確定する。同期シーケンス識別子とビーム数との対応関係は端末装置とネットワーク機器により予め約束される。一部の同期シーケンス識別子は単一のビームに対応し、他の部分の同期シーケンス識別子は複数のビームに対応し、複数のビームの場合にビーム数はＫに固定し、即ちビーム数Ｎは１或いはＫである。端末は前記ビーム数Ｎに基づきＰＢＣＨの受信を行うことができる。端末はそれぞれＮ個のＰＢＣＨ信号を受信する必要があり、これらのＰＢＣＨ信号はネットワーク機器によりＮ個のビームによってフォーミングした後に端末装置に送信され、前記Ｎ個のＰＢＣＨ信号は異なる物理リソースによって伝送される。前記ＰＢＣＨ信号の物理リソースは同期信号を検出した物理リソースと固定マッピング関係を有するＮ個の物理リソースである。
【００７８】
他の具体的な実施例として、端末装置は同期信号を検出し、端末装置は同期信号に対応するＰＢＣＨを検出し、前記ＰＢＣＨに含まれる信号伝送個数指示情報に基づき信号の伝送個数を取得する。端末装置は前記信号伝送個数Ｎに基づき後続Ｎ個のビーム参照信号の受信を行う。端末はＮ個のビーム参照信号を受信する必要があり、各ビーム参照信号はネットワーク機器により異なるビームによってフォーミングされた後に端末装置に送信され、前記Ｎ個のビーム参照信号は異なる物理リソースによって伝送される。前記Ｎ個のビーム参照信号に用いられる物理リソースは端末装置とネットワーク機器により予め約束されたＮ個の物理リソースである。
【００７９】
選択可能に、本発明の実施例において、同期チャネルは同期信号に関連付けられるチャネルであり、両者の物理リソースは固定の相対位置を有し、及び／又は同期チャネルのスクランブルシーケンスは同期信号に含まれるシーケンス識別子によって生成される。具体的に、同期信号及び同期チャネルが所在する伝送時間単元は固定の時間オフセットを有してもよく、或いは同期信号及び同期チャネルが所在する周波数領域ユニットは固定の周波数領域オフセットを有してもよい。
【００８０】
理解すべきなのは、同期チャネルはＰＢＣＨ（Ｐｈｙｓｉｃａｌ  Ｂｒｏａｄｃａｓｔ  Ｃｈａｎｎｅｌ）、ＰＳＢＣＨ（Ｐｈｙｓｉｃａｌ  Ｓｉｄｅｌｉｎｋ  Ｂｒｏａｄｃａｓｔ  Ｃｈａｎｎｅｌ）等であってもよい。上記の伝送をする信号は例えば物理放送チャネル（Ｐｈｙｓｉｃａｌ  Ｂｒｏａｄｃａｓｔ  Ｃｈａｎｎｅｌ、ＰＢＣＨ）等の放送信号であってもよく、物理ランダムアクセス信号（Ｐｈｙｓｉｃａｌ  Ｒａｎｄｏｍ  Ａｃｃｅｓｓ  Ｃｈａｎｎｅｌ、ＰＲＡＣＨ）等のランダムアクセス信号であってもよいし、チャネル状態情報−参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）、復調参照信号（Ｄｅｍｏｄｕｌａｔｉｏｎ  Ｒｅｆｅｒｅｎｃｅ  Ｓｉｇｎａｌ、ＤＭＲＳ）等の参照信号であってもよいし、制御信号であってもよく、典型的に、前記信号はビーム参照信号（Ｂｅａｍ  Ｒｅｆｅｒｅｎｃｅ  Ｓｉｇｎａｌ、ＢＲＳ）であってもよい。
【００８１】
選択可能に、本発明の実施例において、該端末装置は該ビーム数又は該伝送個数Ｎに基づき、ネットワーク機器と該信号の伝送を行うのは、該端末装置は該ビーム数又は該伝送個数Ｎに基づき、該ビーム数又は該伝送個数Ｎに対応する物理リソース又はシーケンスリソースを確定すること、及び該端末装置は該物理リソースで又は該シーケンスリソースを使用して該ネットワーク機器と該信号の伝送を行うことを含む。
【００８２】
具体的に、端末装置とネットワーク機器との間に各ビーム対応信号に用いられる物理リソースを予め約束してもよく、端末装置及び／又はネットワーク機器はビーム数又は伝送個数Ｎに基づき送信しようとするビーム対応信号を確定し、且つ各ビーム対応信号に用いられる物理リソースで対応する信号の送受信を行う。例えば、端末装置及びネットワーク機器はビーム数又は伝送個数Ｎが４である場合に対応する物理リソースが１〜４（仮に全ての物理リソースを２０個に分割し、且つ異なる番号の物理リソースに対応する位置が唯一である）であることを予め約束してもよく、端末装置はランダムアクセス信号を伝送する必要がある際に、ビーム数又は伝送個数Ｎに基づき物理リソース１〜４が該ランダムアクセス信号の伝送を行うことを確定することができる。各物理リソースは複数の時間領域リソース単元及び複数の周波数領域リソース単元を含んでもよい。端末装置及びネットワーク機器は各ビーム対応信号に用いられるシーケンスリソースを予め約束してもよく、シーケンスリソースは該信号の伝送を確定することに用いられるシーケンスであってもよい。理解すべきなのは、上記は本発明の実施例の模式的なものだけであり、本発明の実施例はこれに制限されない。
【００８３】
選択可能に、本発明の実施例において、該端末装置は該ビーム数に基づき、ネットワーク機器と該信号の伝送を行うのは、該端末装置は該ビーム数に基づき、該ネットワーク機器へ該ビーム数に対応するビームフォーミングを行った該信号を送信すること、又は該端末装置は該ネットワーク機器が送信した該ビーム数に対応するビームフォーミングを行った該信号を受信することを含む。
【００８４】
選択可能に、本発明の他の実施例において、該端末装置は該伝送個数Ｎに基づき、ネットワーク機器と該信号の伝送を行うのは、前記端末装置は該伝送個数Ｎに基づき、該ネットワーク機器へＮ個の該信号を送信すること、又は該端末装置は該ネットワーク機器が該伝送個数Ｎに基づき送信したＮ個の該信号を受信することを含む。
【００８５】
理解すべきなのは、伝送は一般的に送受信を含み、言い換えると、本発明の実施例における伝送は端末装置が信号を送信し、及び端末装置が信号を受信することを含む。且つ端末装置は確定されたビーム数又は伝送個数Ｎに基づきネットワーク機器へビームフォーミングされた信号を送信し、又は端末装置はネットワーク機器が確定されたビーム数又は伝送個数Ｎに基づき送信したビームフォーミングされた信号を受信する。
【００８６】
選択可能に、該Ｎ個の該信号は異なるビームによってフォーミングされ、Ｎは１より大きい正の整数である。具体的に該信号は異なるビームフォーミングを使用することを指してよく、異なるビームによって送信フォーミングを行うことを指してもよい。
【００８７】
更に、本発明の実施例において、該端末装置は該ビーム数又は該伝送個数Ｎに基づき、ネットワーク機器と該信号の伝送を行った後に、該方法は、該端末装置は該ビーム数又は該伝送個数Ｎに基づき、該ネットワーク機器が送信したフィードバック情報を受信すること、又は該端末装置は該ビーム数又は該伝送個数Ｎに基づき、該ネットワーク機器へフィードバック情報を送信し、該フィードバック情報は該ビーム数に対応するビームセットにおける第１ビーム、又は該伝送個数Ｎに対応する信号セットにおける第１信号を指示することに用いられる。
【００８８】
当業者は、ビームフォーミング技術はチャネル情報のフィードバック方式に応じてコードブックベース（Ｃｏｄｅｂｏｏｋ  ｂａｓｅｄ）及びチャネル可逆性ベースの２種の方式に分けることができることを理解する。前者は端末がフィードバックしたコードブック情報に基づいて、ネットワーク機器により次回の伝送に用いられるプリコーディングコードブックを確定し、後者はアップリンク送信した探測参照信号（Ｓｏｕｎｄｉｎｇ  Ｒｅｆｅｒｅｎｃｅ  Ｓｉｇｎａｌ、ＳＲＳ）に基づき、チャネル可逆性を利用してダウンリンクチャネル情報を得て、且つダウンリンクに必要なプリコーディング行列計算及び選択を行う。例えば、ネットワーク機器はＮ個のビームによってフォーミングすると、端末装置は一般的にビーム数に基づき１つのビームインデックス或いは該ビームインデックスに対応するＣＳＩ−ＲＳリソースのインデックス等を報告し、ネットワーク機器は後続のデータをビームフォーミングすることに用いられる。一般的に、端末装置が報告したビームインデックスは、ネットワーク機器がマルチビームによって送信したダウンリンク信号の中で信号品質が最も良い信号に用いられるビームであってもよく、信号品質が二番目のもの、又はその他のビームインデックスであってもよく、本発明はこれを制限しない。
【００８９】
選択可能に、該フィードバック情報は該第１ビームのビーム識別子及び／又は該ビーム識別子に対応するチャネル状態情報ＣＳＩを含み、又は該フィードバック情報は該第１信号の信号識別子及び／又は該信号識別子に対応するチャネル状態情報ＣＳＩを含む。
【００９０】
端末装置は前記ビーム数に基づきビーム識別子（例えばビームインデックス）のフィードバックを行うことができる。各ビーム識別子は１つのビームがビーム数に対応する全てのビームの中での識別子を指示し、例えば、仮にビーム数がＮであると、１つのビーム識別子のビット数はｌｏｇ２（Ｎ）であってもよい。前記端末はビーム数に基づき各ビームに対応する信号を受信することができ、それによりビーム識別子を報告する。端末装置は更に同時にビーム識別子に対応するＣＳＩのフィードバックを行ってもよい。具体的に、端末装置はあるビームを指示するための情報をフィードバックする以外、該ビーム測定に基づいて得られたＣＳＩをフィードバックする必要もある。例えば、該ＣＳＩはランク表示ＲＩ、プリコーディングマトリックス表示ＰＭＩ及びチャネル品質表示ＣＱＩの中の少なくとも１種を含む。
【００９１】
端末装置は前記信号数に基づき信号識別子のフィードバックを行う。各前記信号識別子は１つの信号が信号数に対応する全ての信号の中での識別子を指示し、例えば、仮に信号数はＮであると、１つの信号識別子のビット数はｌｏｇ２（Ｎ）であってもよい。ここの信号は信号に用いられるリソースの方式によって示されることができるため、信号識別子は信号リソース識別子、例えばＣＳＩ−ＲＳリソース識別子であってもよい。例えば、端末装置はＣＳＩ−ＲＳリソースの数が４個であることを確定すると、それぞれ４個のＣＳＩ−ＲＳリソースにおけるＣＳＩ−ＲＳ信号を検出し、検出した信号の中で信号品質が最もよいＣＳＩ−ＲＳ信号を取得し、前記ＣＳＩ−ＲＳ信号に対応するＣＳＩ−ＲＳリソースのインデックスを信号識別子としてネットワーク機器にフィードバックする。端末装置は更に同時に信号識別子に対応するＣＳＩのフィードバックを行うことができる。具体的に、端末装置はリソース識別子をフィードバックする以外、リソース識別子に対応する信号の測定に基づいて得られたＣＳＩをフィードバックする必要もがある。例えば、該ＣＳＩはランク表示（Ｒａｎｋ  Ｉｎｄｉｃａｔｉｏｎ、ＲＩ）、プリコーディングマトリックス表示（Ｐｒｅｃｏｄｉｎｇ  Ｍａｔｒｉｘ  Ｉｎｄｉｃａｔｏｒ、ＰＭＩ）、チャネル品質表示（Ｃｈａｎｎｅｌ  Ｑｕａｌｉｔｙ  Ｉｎｄｉｃａｔｏｒ、ＣＱＩ）等の中の少なくとも１種であってもよい。
【００９２】
このため、本発明の実施例による信号を伝送する方法は、信号伝送に用いられるビーム数又は信号の伝送個数を柔軟に設定することができ、それによりセルアクセスの品質を向上させ、且つシングルビーム伝達メカニズムをサポートするだけでなく、マルチビーム伝達メカニズムをサポートするため、検出の複雑さとビームフォーミングゲインとの間に良好な折衷を有する。同時に、従来の技術においてセルアクセス過程においてネットワーク機器或いは端末装置は後続伝送に用いられるビームを確定するメカニズムがなく、端末はセルアクセスした後にすぐにビームフォーミングゲインを取得することができない問題を解決する。
【００９３】
以上で端末装置の点から本発明の実施例による信号を伝送する方法を詳細的に説明し、以下で、図４を参照してネットワーク機器の点から本発明の実施例による信号を伝送する方法２００を説明する。図４に示すように、該方法２００は、
ネットワーク機器は信号伝送に用いられるビーム数を確定し又は該信号の伝送個数Ｎを確定し、Ｎは正の整数であるＳ２１０、及び
該ネットワーク機器は端末装置へ同期信号及び／又は同期チャネルを送信し、該同期信号及び／又は該同期チャネルは該ビーム数又は該伝送個数Ｎに基づいて生成したものであるＳ２２０を含む。
【００９４】
通信技術の持続的な進化に伴って、将来の通信システムにおいて多様化のサービス種類を必要とし、マルチビーム伝達メカニズムが生まれた。信号伝送に用いられるビーム数又は信号の伝送個数を柔軟に設定するのは、セルアクセスの品質を向上させることができ、且つシングルビーム伝達メカニズムをサポートするだけでなく、マルチビーム伝達メカニズムをサポートするため、検出の複雑さとビームフォーミングゲインとの間に良好な折衷を有する。
【００９５】
選択可能に、本発明の実施例において、該方法は、該ネットワーク機器は該ビーム数又は該伝送個数Ｎに基づき、該ビーム数又は該伝送個数Ｎに対応するシーケンス情報を確定すること、及び該ネットワーク機器は端末装置へ同期信号を送信するのは、該ネットワーク機器は該端末装置へ該シーケンス情報に基づいて生成した同期信号を送信することを含む。
【００９６】
選択可能に、本発明の実施例において、該同期信号は一次同期信号及び二次同期信号を含み、該方法は、該ネットワーク機器は該ビーム数又は該伝送個数Ｎに基づき、該ビーム数又は該伝送個数Ｎに対応する該一次同期信号と該二次同期信号との間の差分とした第１時間領域リソース単元の数を確定すること、又は該ネットワーク機器は該ビーム数又は該伝送個数Ｎに基づき、該ビーム数又は該伝送個数Ｎに対応する該一次同期信号と該二次同期信号との間の差分とした第１周波数領域リソース単元の数を確定することを更に含み、該ネットワーク機器は端末装置へ同期信号を送信するのは、該ネットワーク機器は該第１時間領域リソース単元の数又は該第１周波数領域リソース単元の数に基づき、該端末装置へ該同期信号を送信することを含む。
【００９７】
選択可能に、本発明の実施例において、該方法は、該ネットワーク機器は該ビーム数又は該伝送個数Ｎに基づき、該ビーム数又は該伝送個数Ｎに対応する指示情報を確定することを更に含み、該ネットワーク機器は端末装置へ同期チャネルを送信するのは、該ネットワーク機器は該端末装置へ該指示情報が含まれる同期チャネルを送信することを含む。
【００９８】
選択可能に、本発明の実施例において、該方法は、該ネットワーク機器は該ビーム数又は該伝送個数Ｎに基づき、該ビーム数又は該伝送個数Ｎに対応する該同期信号と該同期チャネルとの間の差分とした第２時間領域リソース単元の数を確定すること、又は該ネットワーク機器は該ビーム数又は該伝送個数Ｎに基づき、該ビーム数又は該伝送個数Ｎに対応する該同期信号と該同期チャネルとの間の差分とした第２周波数領域リソース単元の数を確定することを更に含み、該ネットワーク機器は端末装置へ同期信号及び同期チャネルを送信するのは、該ネットワーク機器は該第２時間領域リソース単元の数又は該第２周波数領域リソース単元の数に基づき、該端末装置へ該同期信号及び該同期チャネルを送信することを含む。
【００９９】
選択可能に、本発明の実施例において、該方法は、該ネットワーク機器は該ビーム数又は該伝送個数Ｎに基づき、該ビーム数又は該伝送個数Ｎに対応する該同期信号の物理リソースを確定すること、又は該ネットワーク機器は該ビーム数又は該伝送個数Ｎに基づき、該ビーム数又は該伝送個数Ｎに対応する該同期チャネルの物理リソースを確定することを含み、該ネットワーク機器は端末装置へ同期信号又は同期チャネルを送信するのは、該ネットワーク機器は該同期信号の物理リソースに基づき、該端末装置へ該同期信号を送信すること、又は該ネットワーク機器は該同期チャネルの物理リソースに基づき、該端末装置へ該同期チャネルを送信することを含む。
【０１００】
理解すべきなのは、ネットワーク機器と端末装置との交換及び関連特性、機能等は端末装置の関連特性、機能に対応し、簡潔にするため、ここでは繰り返さない。
【０１０１】
以上で本発明の実施例による信号を伝送する方法を詳細的に説明し、以下、図５〜図８を参照して、本発明の実施例による情報を伝送する装置を説明し、方法実施例で説明された技術特徴は以下の装置実施例に適用する。
【０１０２】
図５は本発明の実施例による信号を伝送する端末装置３００を示す。図５に示すように、該端末装置３００は、
検出した同期信号及び／又は同期チャネルに基づき、信号伝送に用いられるビーム数を確定し又は該信号の伝送個数Ｎを確定することに用いられ、Ｎは正の整数である確定ユニット３１０と、
該ビーム数又は該伝送個数Ｎに基づき、ネットワーク機器と該信号の伝送を行うための伝送ユニット３２０を備える。
【０１０３】
このため、本発明の実施例による端末装置は、信号伝送に用いられるビーム数又は信号の伝送個数を柔軟に設定することができ、それによりセルアクセスの品質を向上させ、且つシングルビーム伝達メカニズムをサポートするだけでなく、マルチビーム伝達メカニズムをサポートするため、検出の複雑さとビームフォーミングゲインとの間に良好な折衷を有する。
【０１０４】
選択可能に、本発明の実施例において、該同期信号にシーケンス情報が含まれ、該確定ユニット３１０は、具体的に、該シーケンス情報に基づき、該シーケンス情報に対応する該ビーム数又は該伝送個数Ｎを確定することに用いられる。
【０１０５】
選択可能に、本発明の実施例において、該同期信号は一次同期信号及び二次同期信号を含み、該確定ユニット３１０は、具体的に、該一次同期信号と該二次同期信号との間の差分とした第１時間領域リソース単元の数に基づき、該第１時間領域リソース単元の数に対応する該ビーム数又は該伝送個数Ｎを確定すること、又は該一次同期信号と該二次同期信号との間の差分とした第１周波数領域リソース単元の数に基づき、該第１周波数領域リソース単元の数に対応する該ビーム数又は該伝送個数Ｎを確定することに用いられる。
【０１０６】
選択可能に、本発明の実施例において、該同期チャネルに該ビーム数又は該伝送個数Ｎを指示するための指示情報が含まれ、該確定ユニット３１０は、具体的に、該指示情報に基づき、該ビーム数又は該伝送個数Ｎを確定することに用いられる。
【０１０７】
選択可能に、本発明の実施例において、該確定ユニット３１０は、具体的に、該検出した同期チャネルに用いられるスクランブルシーケンスに基づき、該スクランブルシーケンスに対応する該ビーム数又は該伝送個数Ｎを確定することに用いられる。
【０１０８】
選択可能に、本発明の実施例において、該確定ユニット３１０は、具体的に、該同期信号と該同期チャネルとの間の差分とした第２時間領域リソース単元の数に基づき、該第２時間領域リソース単元の数に対応する該ビーム数又は該伝送個数Ｎを確定すること、又は該同期信号と該同期チャネルとの間の差分とした第２周波数領域リソース単元の数に基づき、該第２周波数領域リソース単元の数に対応する該ビーム数又は該伝送個数Ｎを確定することに用いられる。
【０１０９】
選択可能に、本発明の実施例において、該確定ユニット３１０は、具体的に、該同期信号の物理リソースに基づき、該物理信号の物理リソースに対応する該ビーム数又は該伝送個数Ｎを確定すること、又は該同期チャネルの物理リソースに基づき、該同期チャネルの物理リソースに対応する該ビーム数又は該伝送個数Ｎを確定することに用いられる。
【０１１０】
選択可能に、本発明の実施例において、該確定ユニット３１０は、具体的に、該同期信号又は該同期チャネルに基づき、該信号伝送に用いられるビームは１つ又はＭ個であることを確定し、又は該信号の伝送個数は１つ又はＫ個であることを確定することに用いられ、Ｍ及びＫはそれぞれ予め記憶された１より大きい正の整数である。
【０１１１】
選択可能に、本発明の実施例において、該同期信号及び同期チャネルを伝送する物理リソースは固定する相対位置を有し、及び／又は、該同期チャネルに用いられるスクランブルシーケンスは該同期信号に含まれるシーケンス情報に基づいて生成されたものである。
【０１１２】
選択可能に、本発明の実施例において、該伝送ユニット３２０は、具体的に、該ビーム数又は該伝送個数Ｎに基づき、該ビーム数又は該伝送個数Ｎに対応する物理リソース又はシーケンスリソースを確定すること、及び該物理リソースで又は該シーケンスリソースによって該ネットワーク機器と該信号の伝送を行うことに用いられる。
【０１１３】
選択可能に、本発明の実施例において、該伝送ユニット３２０は、具体的に、該ビーム数に基づき、該ネットワーク機器へ該ビーム数に対応するビームフォーミングを行った後の該信号を送信すること、又は該ネットワーク機器が送信した該ビーム数に対応するビームフォーミングを行った後の該信号を受信することに用いられる。
【０１１４】
選択可能に、本発明の実施例において、該伝送ユニット３２０は、具体的に、該伝送個数Ｎに基づき、該ネットワーク機器へＮ個の該信号を送信すること、又は該ネットワーク機器は該伝送個数Ｎに基づき送信したＮ個の該信号を受信することに用いられる。
【０１１５】
選択可能に、本発明の実施例において、該Ｎ個の該信号は異なるビームによってフォーミングされ、Ｎは１より大きい正の整数である。
【０１１６】
選択可能に、本発明の実施例において、該信号は、放送信号、ランダムアクセス信号、参照信号、制御信号及びビーム参照信号の中の少なくとも１種を含む。
【０１１７】
理解すべきなのは、本発明の実施例による信号を伝送する端末装置３００は本発明の方法実施例における端末装置に対応でき、且つ端末装置３００における各ユニットの上記及びその他の操作及び／又は機能は、それぞれ図３における方法の対応するフローを実現するためのものであり、簡潔にするため、ここでは繰り返さない。
【０１１８】
図６は本発明の実施例による信号を伝送するネットワーク機器４００を示す。図６に示すように、該ネットワーク機器４００は、
信号伝送に用いられるビーム数を確定し又は該信号の伝送個数Ｎを確定することに用いられ、Ｎは正の整数である第１確定ユニット４１０、及び
端末装置へ同期信号及び／又は同期チャネルを送信することに用いられ、該同期信号及び／又は該同期チャネルは該ビーム数又は該伝送個数Ｎに基づいて生成されたものである送信ユニットを備える。
【０１１９】
このため、本発明の実施例によるネットワーク機器は、端末装置へビーム数又は伝送個数に基づいて生成した同期信号及び／又は同期チャネルを送信し、端末装置は検出した同期信号及び／又は同期チャネルに基づいて、信号伝送に用いられるビーム数又は信号の伝送個数を柔軟に設定することができ、それによりセルアクセスの品質を向上させ、且つシングルビーム伝達メカニズムをサポートするだけでなく、マルチビーム伝達メカニズムをサポートするため、検出の複雑さとビームフォーミングゲインとの間に良好な折衷を有する。
【０１２０】
選択可能に、本発明の実施例において、該ネットワーク機器４００は、該ビーム数又は該伝送個数Ｎに基づき、該ビーム数又は該伝送個数Ｎに対応するシーケンス情報を確定するための第２確定ユニットを更に備え、該送信ユニット４２０は、具体的に、該端末装置へ該シーケンス情報に基づいて生成した同期信号を送信することに用いられる。
【０１２１】
選択可能に、本発明の実施例において、該同期信号は一次同期信号及び二次同期信号を含み、該ネットワーク機器４００は、該ビーム数又は該伝送個数Ｎに基づき、該ビーム数又は該伝送個数Ｎに対応する該一次同期信号と該二次同期信号との間の差分とした第１時間領域リソース単元の数を確定し、又は該ビーム数又は該伝送個数Ｎに基づき、該ビーム数又は該伝送個数Ｎに対応する該一次同期信号と該二次同期信号との間の差分とした第１周波数領域リソース単元の数を確定するための第３確定ユニットを更に備え、該送信ユニット４２０は、具体的に、該第１時間領域リソース単元の数又は該第１周波数領域リソース単元の数に基づき、該端末装置へ該同期信号を送信することに用いられる。
【０１２２】
選択可能に、本発明の実施例において、該ネットワーク機器４００は、該ビーム数又は該伝送個数Ｎに基づき、該ビーム数又は該伝送個数Ｎに対応する指示情報を確定するを更に備え、該送信ユニット４２０は、具体的に、該端末装置へ該指示情報が含まれる同期チャネルを送信することに用いられる。
【０１２３】
選択可能に、本発明の実施例において、該ネットワーク機器４００は、該ビーム数又は該伝送個数Ｎに基づき、該ビーム数又は該伝送個数Ｎに対応する該同期信号と該同期チャネルとの間の差分とした第２時間領域リソース単元の数を確定し、又は該ネットワーク機器は該ビーム数又は該伝送個数Ｎに基づき、該ビーム数又は該伝送個数Ｎに対応する該同期信号と該同期チャネルとの間の差分とした第２周波数領域リソース単元の数を確定するを更に備え、該送信ユニット４２０は、具体的に、該第２時間領域リソース単元の数又は該第２周波数領域リソース単元の数に基づき、該端末装置へ該同期信号及び該同期チャネルを送信することに用いられる。
【０１２４】
選択可能に、本発明の実施例において、該ネットワーク機器４００は、該ビーム数又は該伝送個数Ｎに基づき、該ビーム数又は該伝送個数Ｎに対応する該同期信号の物理リソースを確定し、又は該ビーム数又は該伝送個数Ｎに基づき、該ビーム数又は該伝送個数Ｎに対応する該同期チャネルの物理リソースを確定するを更に備え、該送信ユニット４２０は、具体的に、該同期信号の物理リソースに基づき、該端末装置へ該同期信号を送信すること、又は該同期チャネルの物理リソースに基づき、該端末装置へ該同期チャネルを送信することに用いられる。
【０１２５】
選択可能に、本発明の実施例において、該信号は、放送信号、ランダムアクセス信号、参照信号、制御信号及びビーム参照信号の中の少なくとも１種を含む。
【０１２６】
理解すべきなのは、本発明の実施例による信号を伝送するネットワーク機器４００は本発明の方法実施例におけるネットワーク機器に対応でき、且つネットワーク機器４００における各ユニットの上記及びその他の操作及び／又は機能は、それぞれ図４における方法の対応するフローを実現するためのものであり、簡潔にするため、ここでは繰り返さない。
【０１２７】
図７に示すように、本発明の実施例は信号を伝送する端末装置５００を更に提供する。該端末装置５００は、プロセッサー５１０、メモリ５２０、バスシステム５３０及びトランシーバ５４０を備え、該プロセッサー５１０、該メモリ５２０及び該トランシーバ５４０は該バスシステム５３０によって接続され、該メモリ５２０は命令を記憶することに用いられ、該プロセッサー５１０は該メモリ５２０に記憶される命令を実行することに用いられ、該トランシーバ５４０が信号を送信することを制御するようにし、該プロセッサー５１０は、検出した同期信号及び／又は同期チャネルに基づき、信号伝送に用いられるビーム数を確定し又は該信号の伝送個数Ｎを確定し、Ｎは正の整数であることと、該ビーム数又は該伝送個数Ｎに基づき、ネットワーク機器と該信号の伝送を行うことに用いられる。
【０１２８】
このため、本発明の実施例による信号を伝送する端末装置は、信号伝送に用いられるビーム数又は信号の伝送個数を柔軟に設定することができ、それによりセルアクセスの品質を向上させ、且つシングルビーム伝達メカニズムをサポートするだけでなく、マルチビーム伝達メカニズムをサポートするため、検出の複雑さとビームフォーミングゲインとの間に良好な折衷を有する。
【０１２９】
理解すべきなのは、本発明の実施例において、該プロセッサー５１０は中央処理ユニット（Ｃｅｎｔｒａｌ  Ｐｒｏｃｅｓｓｉｎｇ  Ｕｎｉｔ、「ＣＰＵ」と略称）であってもよく、該プロセッサー５１０はその他の汎用プロセッサー、デジタル信号プロセッサー（ＤＳＰ）、特定用途向け集積回路（ＡＳＩＣ）、フィールドプログラマブルゲートアレイ（ＦＰＧＡ）或いはその他のプログラマブルロジックデバイス、離散ゲート或いはトランジスタ論理デバイス、離散ハードウェアコンポーネント等であってもよい。汎用プロセッサーはマイクロプロセッサーであってもよく或いは該プロセッサーは任意の従来のプロセッサー等であってもよい。
【０１３０】
該メモリ５２０は読み出し専用メモリ及びランダムアクセスメモリを含んでもよく、且つプロセッサー５１０へ命令及びデータを提供する。メモリ５２０の一部は不揮発性ランダムアクセスメモリを更に含んでもよい。例えば、メモリ５２０はデバイスタイプの情報を記憶してもよい。
【０１３１】
該バスシステム５３０はデータバスを含む以外、電源バス、制御バス及び状態信号バス等を含んでもよい。しかし、わかりやすくするために、図で様々なバスをいずれもバスシステム５３０に付記する。
【０１３２】
実現過程において、上記の方法の各ステップはプロセッサー５１０におけるハードウェアの集積ロジック回路或いはソフトウェア形式の命令によって完成されることができる。本発明の実施例に開示された方法を組み合わせたステップはハードウェアプロセッサーにより実行して完成し、或いはプロセッサーにおけるハードウェアとソフトウェアモジュールとの組み合わせにより実行して完成するように直接に体現することができる。ソフトウェアモジュールはランダムアクセスメモリ、フラッシュメモリ、読み出し専用メモリ、プログラム可能読み出し専用メモリまたは電気的消去可能プログラマブルメモリ、レジスタなどの本分野において成熟した記憶媒体に位置することができる。該記憶媒体はメモリ５２０に位置し、プロセッサー５１０はメモリ５２０における情報を読み取り、そのハードウェアを組み合わせて上記方法のステップを完成する。繰り返しを避けるために、ここでは詳細に説明しない。
【０１３３】
選択可能に、本発明の実施例において、該同期信号にシーケンス情報が含まれ、該プロセッサー５１０は、具体的に、該シーケンス情報に基づき、該シーケンス情報に対応する該ビーム数又は該伝送個数Ｎを確定することに用いられる。
【０１３４】
選択可能に、本発明の実施例において、該同期信号は一次同期信号及び二次同期信号を含み、該プロセッサー５１０は、具体的に、該一次同期信号と該二次同期信号との間の差分とした第１時間領域リソース単元の数に基づき、該第１時間領域リソース単元の数に対応する該ビーム数又は該伝送個数Ｎを確定し、又は該一次同期信号と該二次同期信号との間の差分とした第１周波数領域リソース単元の数に基づき、該第１周波数領域リソース単元の数に対応する該ビーム数又は該伝送個数Ｎを確定することに用いられる。
【０１３５】
選択可能に、本発明の実施例において、該同期チャネルに該ビーム数又は該伝送個数Ｎを指示するための指示情報が含まれ、該プロセッサー５１０は、具体的に、該指示情報に基づき、該ビーム数又は該伝送個数Ｎを確定することに用いられる。
【０１３６】
選択可能に、本発明の実施例において、該プロセッサー５１０は、具体的に、該同期信号と該同期チャネルとの間の差分とした第２時間領域リソース単元の数に基づき、該第２時間領域リソース単元の数に対応する該ビーム数又は該伝送個数Ｎを確定すること、又は該同期信号と該同期チャネルとの間の差分とした第２周波数領域リソース単元の数に基づき、該第２周波数領域リソース単元の数に対応する該ビーム数又は該伝送個数Ｎを確定することに用いられる。
【０１３７】
選択可能に、本発明の実施例において、該プロセッサー５１０は、具体的に、該同期信号の物理リソースに基づき、該物理信号の物理リソースに対応する該ビーム数又は該伝送個数Ｎを確定すること、又は該同期チャネルの物理リソースに基づき、該同期チャネルの物理リソースに対応する該ビーム数又は該伝送個数Ｎを確定することに用いられる。
【０１３８】
選択可能に、本発明の実施例において、該プロセッサー５１０は、具体的に、該同期信号又は該同期チャネルに基づき、該信号伝送に用いられるビームは１つ又はＭ個であることを確定し、又は該信号の伝送個数は１つ又はＫ個であることを確定することに用いられ、Ｍ及びＫはそれぞれ予め記憶された１より大きい正の整数である。
【０１３９】
選択可能に、本発明の実施例において、該同期信号及び同期チャネルを伝送する物理リソースは固定する相対位置を有し、及び／又は、該同期チャネルに用いられるスクランブルシーケンスは該同期信号に含まれるシーケンス情報に基づいて生成されたものである。
【０１４０】
選択可能に、本発明の実施例において、該プロセッサー５１０は、具体的に、該ビーム数又は該伝送個数Ｎに基づき、該ビーム数又は該伝送個数Ｎに対応する物理リソース又はシーケンスリソースを確定すること、及び該物理リソースで又は該シーケンスリソースによって該ネットワーク機器と該信号の伝送を行うことに用いられる。
【０１４１】
選択可能に、本発明の実施例において、該プロセッサー５１０は、具体的に、該ビーム数に基づき、該ネットワーク機器へ該ビーム数に対応するビームフォーミングを行った後の該信号を送信すること、又は該ネットワーク機器が送信した該ビーム数に対応するビームフォーミングを行った後の該信号を受信することに用いられる。
【０１４２】
選択可能に、本発明の実施例において、該プロセッサー５１０は、具体的に、該伝送個数Ｎに基づき、該ネットワーク機器へＮ個の該信号を送信すること、又は該ネットワーク機器は該伝送個数Ｎに基づき送信したＮ個の該信号を受信することに用いられる。
【０１４３】
選択可能に、本発明の実施例において、該Ｎ個の該信号は異なるビームによってフォーミングされ、Ｎは１より大きい正の整数である。
【０１４４】
選択可能に、本発明の実施例において、該信号は、放送信号、ランダムアクセス信号、参照信号、制御信号及びビーム参照信号の中の少なくとも１種を含む。
【０１４５】
理解すべきなのは、本発明の実施例による信号を伝送する端末装置５００は本発明の実施例における端末装置５００に対応でき、且つ本発明の実施例による方法を実行する端末装置に対応でき、且つ端末装置５００における各ユニットの上記及びその他の操作及び／又は機能はそれぞれ図３における方法の対応するフローを実現するためのものであり、簡潔にするため、ここでは繰り返さない。
【０１４６】
図８に示すように、本発明の実施例は信号を伝送するネットワーク機器６００を更に提供する。該ネットワーク機器６００は、プロセッサー６１０、メモリ６２０、バスシステム６３０及びトランシーバ６４０を備え、該プロセッサー６１０、該メモリ６２０及び該トランシーバ６４０は該バスシステム６３０によって接続され、該メモリ６２０は命令を記憶することに用いられ、該プロセッサー６１０は該メモリ６２０に記憶される命令を実行することに用いられ、該トランシーバ６４０が信号を送信することを制御するようにし、該プロセッサー６１０は、信号伝送に用いられるビーム数を確定し又は該信号の伝送個数Ｎを確定し、Ｎは正の整数であること、端末装置へ同期信号及び／又は同期チャネルを送信することに用いられ、該同期信号及び／又は該同期チャネルは該ビーム数又は該伝送個数Ｎに基づいて生成されたものである。
【０１４７】
このため、本発明の実施例による信号を伝送するネットワーク機器は、端末装置へビーム数又は伝送個数に基づいて生成した同期信号及び／又は同期チャネルを送信し、端末装置は検出した同期信号及び／又は同期チャネルに基づいて、信号伝送に用いられるビーム数又は信号の伝送個数を柔軟に設定することができ、それによりセルアクセスの品質を向上させ、且つシングルビーム伝達メカニズムをサポートするだけでなく、マルチビーム伝達メカニズムをサポートするため、検出の複雑さとビームフォーミングゲインとの間に良好な折衷を有する。
【０１４８】
理解すべきなのは、本発明の実施例において、該プロセッサー６１０は中央処理ユニット（Ｃｅｎｔｒａｌ  Ｐｒｏｃｅｓｓｉｎｇ  Ｕｎｉｔ、「ＣＰＵ」と略称）であってもよく、該プロセッサー６１０はその他の汎用プロセッサー、デジタル信号プロセッサー（ＤＳＰ）、特定用途向け集積回路（ＡＳＩＣ）、フィールドプログラマブルゲートアレイ（ＦＰＧＡ）或いはその他のプログラマブルロジックデバイス、離散ゲート或いはトランジスタ論理デバイス、離散ハードウェアコンポーネント等であってもよい。汎用プロセッサーはマイクロプロセッサーであってもよく或いは該プロセッサーは任意の従来のプロセッサー等であってもよい。
【０１４９】
該メモリ６２０は読み出し専用メモリ及びランダムアクセスメモリを含んでもよく、且つプロセッサー６１０へ命令及びデータを提供する。メモリ６２０の一部は不揮発性ランダムアクセスメモリを更に含んでもよい。例えば、メモリ６２０はデバイスタイプの情報を記憶してもよい。
【０１５０】
該バスシステム６３０はデータバスを含む以外、電源バス、制御バス及び状態信号バス等を含んでもよい。しかし、わかりやすくするために、図で様々なバスをいずれもバスシステム６３０に付記する。
【０１５１】
実現過程において、上記の方法の各ステップはプロセッサー６１０におけるハードウェアの集積ロジック回路或いはソフトウェア形式の命令によって完成されることができる。本発明の実施例に開示された方法を組み合わせたステップはハードウェアプロセッサーにより実行して完成し、或いはプロセッサーにおけるハードウェアとソフトウェアモジュールとの組み合わせにより実行して完成するように直接に体現することができる。ソフトウェアモジュールはランダムアクセスメモリ、フラッシュメモリ、読み出し専用メモリ、プログラム可能読み出し専用メモリまたは電気的消去可能プログラマブルメモリ、レジスタなどの本分野において成熟した記憶媒体に位置することができる。該記憶媒体はメモリ６２０に位置し、プロセッサー６１０はメモリ６２０における情報を読み取り、そのハードウェアを組み合わせて上記方法のステップを完成する。繰り返しを避けるために、ここでは詳細に説明しない。
【０１５２】
選択可能に、本発明の実施例において、該プロセッサー６１０は、具体的に、該ネットワーク機器は該ビーム数又は該伝送個数Ｎに基づき、該ビーム数又は該伝送個数Ｎに対応するシーケンス情報を確定すること、該端末装置へ該シーケンス情報に基づいて生成した同期信号を送信することに用いられる。
【０１５３】
選択可能に、本発明の実施例において、該同期信号は一次同期信号及び二次同期信号を含み、該プロセッサー６１０は、具体的に、該ビーム数又は該伝送個数Ｎに基づき、該ビーム数又は該伝送個数Ｎに対応する該一次同期信号と該二次同期信号との間の差分とした第１時間領域リソース単元の数を確定し、又は該ビーム数又は該伝送個数Ｎに基づき、該ビーム数又は該伝送個数Ｎに対応する該一次同期信号と該二次同期信号との間の差分とした第１周波数領域リソース単元の数を確定すること、及び該第１時間領域リソース単元の数又は該第１周波数領域リソース単元の数に基づき、該端末装置へ該同期信号を送信することに用いられる。
【０１５４】
選択可能に、本発明の実施例において、該プロセッサー６１０は、具体的に、該ビーム数又は該伝送個数Ｎに基づき、該ビーム数又は該伝送個数Ｎに対応する指示情報を確定すること、及び該端末装置へ該指示情報が含まれる同期チャネルを送信することに用いられる。
【０１５５】
選択可能に、本発明の実施例において、該プロセッサー６１０は、具体的に、該ビーム数又は該伝送個数Ｎに基づき、該ビーム数又は該伝送個数Ｎに対応する該同期信号と該同期チャネルとの間の差分とした第２時間領域リソース単元の数を確定し、又は該ビーム数又は該伝送個数Ｎに基づき、該ビーム数又は該伝送個数Ｎに対応する該同期信号と該同期チャネルとの間の差分とした第２周波数領域リソース単元の数を確定すること、及び該第２時間領域リソース単元の数又は該第２周波数領域リソース単元の数に基づき、該端末装置へ該同期信号及び該同期チャネルを送信することに用いられる。
【０１５６】
選択可能に、本発明の実施例において、該プロセッサー６１０は、具体的に、該ビーム数又は該伝送個数Ｎに基づき、該ビーム数又は該伝送個数Ｎに対応する該同期信号の物理リソースを確定すること、又は該ビーム数又は該伝送個数Ｎに基づき、該ビーム数又は該伝送個数Ｎに対応する該同期チャネルの物理リソースを確定すること、該同期信号の物理リソースに基づき、該端末装置へ該同期信号を送信すること、又は該同期チャネルの物理リソースに基づき、該端末装置へ該同期チャネルを送信することに用いられる。
【０１５７】
選択可能に、該信号は、放送信号、ランダムアクセス信号、参照信号、制御信号及びビーム参照信号の中の少なくとも１種を含む。
【０１５８】
理解すべきなのは、本発明の実施例による信号を伝送するネットワーク機器６００は本発明の実施例におけるネットワーク機器６００に対応でき、且つ本発明の実施例による方法を実行するネットワーク機器に対応でき、且つネットワーク機器６００における各ユニットの上記及びその他の操作及び／又は機能はそれぞれ図４における方法の対応するフローを実現するためのものであり、簡潔にするため、ここでは繰り返さない。
【０１５９】
理解すべきなのは、本発明の実施例において、「Ａに対応するＢ」とはＢがＡに関連すると示され、ＡによってＢを確定することができる。しかし、理解すべきなのは、ＡによってＢを確定することは単にＡによってＢを確定することを意味せず、更にＡ及び／又はその他の情報によってＢを確定することができる。
【０１６０】
当業者は、本文に開示された実施例に記載の各例示のユニット及びアルゴリズムステップを組み合わせて、電子ハードウェア、コンピュータソフトウェア或いは両者の組み合わせで実現することができることを認識することができる。ハードウェア及びソフトウェアの互換性を明らかに説明するために、上記の説明では機能に応じて一般的に各例の組成及びステップを説明した。これらの機能はハードウェアで実行するかソフトウェアで実行するかは、技術案の特定のアプリケーションおよび設計制約によって決められる。当業者は各特定のアプリケーションに対して異なる方法で説明した機能を実現することができるが、このような実現は本発明の範囲を超えると考えられない。
【０１６１】
当業者は、便利且つ簡単に説明するために、上記に記載のシステム、装置及びユニットの具体的な作業過程は、上記方法の実施例における対応過程を参照することができ、ここで繰り返して説明しないことを明らかに了解する。
【０１６２】
本発明によるいくつかの実施例において、開示したシステム、装置及び方法は、その他の方式によって実現されることができることを理解すべきである。例えば以上のような装置実施例は単に例示的なものであり、例えば、前記ユニットの分割は、ロジック機能分割だけであり、実際な実現時に別の分割方式があり、例えば、複数のユニット又は組立部品を結合してもよいし、又は別のシステムに集積してもよいし、又はいくつかの特徴を無視でき、又は実行しなくてもよい。また、表示又は検討した互いの間にカップリング、又は直接カップリング、又は通信接続はいくつかのインターフェース、装置又はユニットによる間接カップリング又は通信接続であってもよく、電気的、機械的又はその形式の接続であってもよい。
【０１６３】
該分離部材として説明したユニットは物理的に分離してもよいし、又は分離しなくてもよく、ユニットとして表示する部材は物理ユニットであってもよいし、又は物理ユニットではなくてもよく、即ち１つの場所に位置してもよいし、複数のネットワークユニットに分布してもよい。実際の需要に応じてその中の一部又は全部のユニットを選択して本実施例手段の目的を実現することができる。
【０１６４】
また、本発明の各実施例における各機能ユニットは１つの処理ユニットに集積されてもよいし、各ユニットは単独に物理的に存在してもよいし、２つ又は２つ以上のユニットは１つのユニットに集積されてもよい。上記集積されたユニットはハードウェアの形で実現されてもよいし、ソフトウェア機能ユニットの形で実現されてもよい。
【０１６５】
該集積されたユニットはソフトウェア機能ユニットの形で実現するとともに独立した製品として販売又は使用される場合、1つのコンピュータ読み取り可能な記憶媒体に記憶することができる。このような理解に基づいて、本発明の実施例の技術的解決手段は本質的或いは従来技術に貢献する部分、或いは該技術的解決手段の全部又は一部はソフトウェア製品の形式で表現することができ、該コンピュータソフトウェア製品が１つの記憶媒体に記憶され、一台のコンピュータ設備（パーソナルコンピュータ、サーバー、或いはネットワーク設備等であってもよい）が本発明の各実施例に記載の方法の全部又は一部を実行するための若干の指令を含む。前述の記憶媒体は、Ｕディスク、モバイルハードディスク、読み出し専用記憶装置（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、ディスク或いはＣＤ等の様々なプログラムコードを記憶できる媒体である。
【０１６６】
以上のように、単に本発明の具体的な実施形態であるが、本発明の保護範囲はこれに限定されず、当業者は誰でも、本発明に開示された技術範囲において、様々な等価修正又は置換を考えやすい。
【図１】
2019534586.tif 000003
【図２】
2019534586.tif 000004
【図３】
2019534586.tif 000005
【図４】
2019534586.tif 000006
【図５】
2019534586.tif 000007
【図６】
2019534586.tif 000008
【図７】
2019534586.tif 000009
【図８】
2019534586.tif 000010
【手続補正書】
【提出日】令和1年9月18日(2019.9.18)
【手続補正１】
【補正対象書類名】明細書
【補正対象項目名】００２２
【補正方法】変更
【補正の内容】
【００２２】
第１態様又は上記第１態様のいずれかの実現方式を組み合わせ、第１態様の第６種の可能な実現方式において、該端末装置は検出した同期信号又は同期チャネルに基づき、信号伝送に用いられるビーム数を確定し又は該信号の伝送個数Ｎを確定するのは、該端末装置は該同期信号の物理リソースに基づき、該同期信号の物理リソースに対応する該ビーム数又は該伝送個数Ｎを確定すること、又は該端末装置は該同期チャネルの物理リソースに基づき、該同期チャネルの物理リソースに対応する該ビーム数又は該伝送個数Ｎを確定することを含む。
【手続補正２】
【補正対象書類名】明細書
【補正対象項目名】００４２
【補正方法】変更
【補正の内容】
【００４２】
第４態様は、上記第２態様又は第２態様の任意の可能な実現方式における方法を実行するためのネットワーク機器を提供する。具体的に、該ネットワーク機器は上記第２態様又は第２態様の任意の可能な実現方式における方法を実行するためのユニットを備える。
【手続補正３】
【補正対象書類名】明細書
【補正対象項目名】００７１
【補正方法】変更
【補正の内容】
【００７１】
選択可能に、本発明の実施例において、該端末装置は検出した同期信号又は同期チャネルに基づき、信号伝送に用いられるビーム数を確定し又は該信号の伝送個数Ｎを確定するのは、該端末装置は該同期信号の物理リソースに基づき、該同期信号の物理リソースに対応する該ビーム数又は該伝送個数Ｎを確定すること、又は該端末装置は該同期チャネルの物理リソースに基づき、該同期チャネルの物理リソースに対応する該ビーム数又は該伝送個数Ｎを確定することを含む。
【手続補正４】
【補正対象書類名】明細書
【補正対象項目名】００９０
【補正方法】変更
【補正の内容】
【００９０】
端末装置は前記ビーム数に基づきビーム識別子（例えばビームインデックス）のフィードバックを行うことができる。各ビーム識別子は１つのビームがビーム数に対応する全てのビームの中での識別子を指示し、例えば、仮にビーム数がＮであると、１つのビーム識別子のビット数はｌｏｇ２Ｎであってもよい。前記端末はビーム数に基づき各ビームに対応する信号を受信することができ、それによりビーム識別子を報告する。端末装置は更に同時にビーム識別子に対応するＣＳＩのフィードバックを行ってもよい。具体的に、端末装置はあるビームを指示するための情報をフィードバックする以外、該ビーム測定に基づいて得られたＣＳＩをフィードバックする必要もある。例えば、該ＣＳＩはランク表示ＲＩ、プリコーディングマトリックス表示ＰＭＩ及びチャネル品質表示ＣＱＩの中の少なくとも１種を含む。
【手続補正５】
【補正対象書類名】明細書
【補正対象項目名】００９１
【補正方法】変更
【補正の内容】
【００９１】
端末装置は前記信号数に基づき信号識別子のフィードバックを行う。各前記信号識別子は１つの信号が信号数に対応する全ての信号の中での識別子を指示し、例えば、仮に信号数はＮであると、１つの信号識別子のビット数はｌｏｇ２Ｎであってもよい。ここの信号は信号に用いられるリソースの方式によって示されることができるため、信号識別子は信号リソース識別子、例えばＣＳＩ−ＲＳリソース識別子であってもよい。例えば、端末装置はＣＳＩ−ＲＳリソースの数が４個であることを確定すると、それぞれ４個のＣＳＩ−ＲＳリソースにおけるＣＳＩ−ＲＳ信号を検出し、検出した信号の中で信号品質が最もよいＣＳＩ−ＲＳ信号を取得し、前記ＣＳＩ−ＲＳ信号に対応するＣＳＩ−ＲＳリソースのインデックスを信号識別子としてネットワーク機器にフィードバックする。端末装置は更に同時に信号識別子に対応するＣＳＩのフィードバックを行うことができる。具体的に、端末装置はリソース識別子をフィードバックする以外、リソース識別子に対応する信号の測定に基づいて得られたＣＳＩをフィードバックする必要もがある。例えば、該ＣＳＩはランク表示（Ｒａｎｋ  Ｉｎｄｉｃａｔｉｏｎ、ＲＩ）、プリコーディングマトリックス表示（Ｐｒｅｃｏｄｉｎｇ  Ｍａｔｒｉｘ  Ｉｎｄｉｃａｔｏｒ、ＰＭＩ）、チャネル品質表示（Ｃｈａｎｎｅｌ  Ｑｕａｌｉｔｙ  Ｉｎｄｉｃａｔｏｒ、ＣＱＩ）等の中の少なくとも１種であってもよい。
【手続補正６】
【補正対象書類名】明細書
【補正対象項目名】０１０１
【補正方法】変更
【補正の内容】
【０１０１】
以上で本発明の実施例による信号を伝送する方法を詳細的に説明し、以下、図５〜図８を参照して、本発明の実施例による信号を伝送する装置を説明し、方法実施例で説明された技術特徴は以下の装置実施例に適用する。
【手続補正７】
【補正対象書類名】明細書
【補正対象項目名】０１０９
【補正方法】変更
【補正の内容】
【０１０９】
選択可能に、本発明の実施例において、該確定ユニット３１０は、具体的に、該同期信号の物理リソースに基づき、該同期信号の物理リソースに対応する該ビーム数又は該伝送個数Ｎを確定すること、又は該同期チャネルの物理リソースに基づき、該同期チャネルの物理リソースに対応する該ビーム数又は該伝送個数Ｎを確定することに用いられる。
【手続補正８】
【補正対象書類名】明細書
【補正対象項目名】０１２２
【補正方法】変更
【補正の内容】
【０１２２】
選択可能に、本発明の実施例において、該ネットワーク機器４００は、該ビーム数又は該伝送個数Ｎに基づき、該ビーム数又は該伝送個数Ｎに対応する指示情報を確定するための第４確定ユニットを更に備え、該送信ユニット４２０は、具体的に、該端末装置へ該指示情報が含まれる同期チャネルを送信することに用いられる。
【手続補正９】
【補正対象書類名】明細書
【補正対象項目名】０１２３
【補正方法】変更
【補正の内容】
【０１２３】
選択可能に、本発明の実施例において、該ネットワーク機器４００は、該ビーム数又は該伝送個数Ｎに基づき、該ビーム数又は該伝送個数Ｎに対応する該同期信号と該同期チャネルとの間の差分とした第２時間領域リソース単元の数を確定し、又は該ネットワーク機器は該ビーム数又は該伝送個数Ｎに基づき、該ビーム数又は該伝送個数Ｎに対応する該同期信号と該同期チャネルとの間の差分とした第２周波数領域リソース単元の数を確定するための第５確定ユニットを更に備え、該送信ユニット４２０は、具体的に、該第２時間領域リソース単元の数又は該第２周波数領域リソース単元の数に基づき、該端末装置へ該同期信号及び該同期チャネルを送信することに用いられる。
【手続補正１０】
【補正対象書類名】明細書
【補正対象項目名】０１２４
【補正方法】変更
【補正の内容】
【０１２４】
選択可能に、本発明の実施例において、該ネットワーク機器４００は、該ビーム数又は該伝送個数Ｎに基づき、該ビーム数又は該伝送個数Ｎに対応する該同期信号の物理リソースを確定し、又は該ビーム数又は該伝送個数Ｎに基づき、該ビーム数又は該伝送個数Ｎに対応する該同期チャネルの物理リソースを確定するための第６確定ユニットを更に備え、該送信ユニット４２０は、具体的に、該同期信号の物理リソースに基づき、該端末装置へ該同期信号を送信すること、又は該同期チャネルの物理リソースに基づき、該端末装置へ該同期チャネルを送信することに用いられる。
【手続補正１１】
【補正対象書類名】明細書
【補正対象項目名】０１３７
【補正方法】変更
【補正の内容】
【０１３７】
選択可能に、本発明の実施例において、該プロセッサー５１０は、具体的に、該同期信号の物理リソースに基づき、該同期信号の物理リソースに対応する該ビーム数又は該伝送個数Ｎを確定すること、又は該同期チャネルの物理リソースに基づき、該同期チャネルの物理リソースに対応する該ビーム数又は該伝送個数Ｎを確定することに用いられる。
【手続補正１２】
【補正対象書類名】明細書
【補正対象項目名】０１４５
【補正方法】変更
【補正の内容】
【０１４５】
理解すべきなのは、本発明の実施例による信号を伝送する端末装置５００は本発明の実施例における端末装置３００に対応でき、且つ本発明の実施例による方法を実行する端末装置に対応でき、且つ端末装置５００における各ユニットの上記及びその他の操作及び／又は機能はそれぞれ図３における方法の対応するフローを実現するためのものであり、簡潔にするため、ここでは繰り返さない。
【手続補正１３】
【補正対象書類名】明細書
【補正対象項目名】０１５８
【補正方法】変更
【補正の内容】
【０１５８】
理解すべきなのは、本発明の実施例による信号を伝送するネットワーク機器６００は本発明の実施例におけるネットワーク機器４００に対応でき、且つ本発明の実施例による方法を実行するネットワーク機器に対応でき、且つネットワーク機器６００における各ユニットの上記及びその他の操作及び／又は機能はそれぞれ図４における方法の対応するフローを実現するためのものであり、簡潔にするため、ここでは繰り返さない。
【手続補正１４】
【補正対象書類名】特許請求の範囲
【補正対象項目名】全文
【補正方法】変更
【補正の内容】
【特許請求の範囲】
【請求項１】
信号を伝送する方法であって、
端末装置は検出した同期信号及び／又は同期チャネルに基づき、信号伝送に用いられるビーム数を確定し又は前記信号の伝送個数Ｎを確定し、Ｎは正の整数であること、及び
前記端末装置は前記ビーム数又は前記伝送個数Ｎに基づき、ネットワーク機器と前記信号の伝送を行うことを含むことを特徴とする信号を伝送する方法。
【請求項２】
前記同期信号はシーケンス情報が含まれ、前記端末装置は検出した同期信号に基づき、信号伝送に用いられるビーム数を確定し又は前記信号の伝送個数Ｎを確定するのは、
前記端末装置は前記シーケンス情報に基づき、前記シーケンス情報に対応する前記ビーム数又は前記伝送個数Ｎを確定することを含むことを特徴とする請求項１に記載の方法。
【請求項３】
前記同期信号は一次同期信号及び二次同期信号を含み、前記端末装置は検出した同期信号に基づき、信号伝送に用いられるビーム数を確定し又は前記信号の伝送個数Ｎを確定するのは、
前記端末装置は前記一次同期信号と前記二次同期信号との間の差分とした第１時間領域リソース単元の数に基づき、前記第１時間領域リソース単元の数に対応する前記ビーム数又は前記伝送個数Ｎを確定すること、又は
前記端末装置は前記一次同期信号と前記二次同期信号との間の差分とした第１周波数領域リソース単元の数に基づき、前記第１周波数領域リソース単元の数に対応する前記ビーム数又は前記伝送個数Ｎを確定することを含むことを特徴とする請求項１に記載の方法。
【請求項４】
前記同期チャネルに前記ビーム数又は前記伝送個数Ｎを指示するための指示情報が含まれ、前記端末装置は検出した同期チャネルに基づき、信号伝送に用いられるビーム数を確定し又は前記信号の伝送個数Ｎを確定するのは、
前記端末装置は前記指示情報に基づき、前記ビーム数又は前記伝送個数Ｎを確定することを含むことを特徴とする請求項１に記載の方法。
【請求項５】
前記端末装置は検出した同期チャネルに基づき、信号伝送に用いられるビーム数を確定し又は前記信号の伝送個数Ｎを確定するのは、
前記端末装置は前記検出した同期チャネルに用いられるスクランブルシーケンスに基づき、前記スクランブルシーケンスに対応する前記ビーム数又は前記伝送個数Ｎを確定することを含むことを特徴とする請求項１に記載の方法。
【請求項６】
前記端末装置は検出した同期信号及び同期チャネルに基づき、信号伝送に用いられるビーム数を確定し又は前記信号の伝送個数Ｎを確定するのは、
前記端末装置は前記同期信号と前記同期チャネルとの間の差分とした第２時間領域リソース単元の数に基づき、前記第２時間領域リソース単元の数に対応する前記ビーム数又は前記伝送個数Ｎを確定すること、又は
前記端末装置は前記同期信号と前記同期チャネルとの間の差分とした第２周波数領域リソース単元の数に基づき、前記第２周波数領域リソース単元の数に対応する前記ビーム数又は前記伝送個数Ｎを確定することを含むことを特徴とする請求項１に記載の方法。
【請求項７】
前記端末装置は検出した同期信号又は同期チャネルに基づき、信号伝送に用いられるビーム数を確定し又は前記信号の伝送個数Ｎを確定するのは、
前記端末装置は前記同期信号の物理リソースに基づき、前記同期信号の物理リソースに対応する前記ビーム数又は前記伝送個数Ｎを確定すること、又は
前記端末装置は前記同期チャネルの物理リソースに基づき、前記同期チャネルの物理リソースに対応する前記ビーム数又は前記伝送個数Ｎを確定することを含むことを特徴とする請求項１に記載の方法。  
【請求項８】
前記端末装置は検出した同期信号及び／又は同期チャネルに基づき、信号伝送に用いられるビーム数を確定し又は前記信号の伝送個数Ｎを確定するのは、
前記端末装置は前記同期信号及び／又は前記同期チャネルに基づき、前記信号を伝送することに用いられるビームは１個又はＭ個であることを確定し、又は前記信号の伝送個数は１個又はＫ個であることを確定し、Ｍ及びＫはそれぞれ予め記憶された１より大きい正の整数であることを含むことを特徴とする請求項１に記載の方法。
【請求項９】
前記端末装置は前記ビーム数又は前記伝送個数Ｎに基づき、ネットワーク機器と前記信号の伝送を行うのは、
前記端末装置は前記ビーム数又は前記伝送個数Ｎに基づき、前記ビーム数又は前記伝送個数Ｎに対応する物理リソース又はシーケンスリソースを確定すること、及び
前記端末装置は前記物理リソースで又は前記シーケンスリソースによって前記ネットワーク機器と前記信号の伝送を行うことを含むことを特徴とする請求項１〜８のいずれかに記載の方法。
【請求項１０】
前記端末装置は前記ビーム数に基づき、ネットワーク機器と前記信号の伝送を行うのは、
前記端末装置は前記ビーム数に基づき、前記ネットワーク機器へ前記ビーム数に対応するビームフォーミングを行った後の前記信号を送信すること、又は
前記端末装置は前記ネットワーク機器が送信した前記ビーム数に対応するビームフォーミングを行った後の前記信号を受信することを含むことを特徴とする請求項１〜９のいずれかに記載の方法。
【請求項１１】
前記端末装置は前記伝送個数Ｎに基づき、ネットワーク機器と前記信号の伝送を行うのは、
前記端末装置は前記伝送個数Ｎに基づき、前記ネットワーク機器へＮ個の前記信号を送信すること、又は
前記端末装置は前記ネットワーク機器が前記伝送個数Ｎに基づき送信したＮ個の前記信号を受信することを含むことを特徴とする請求項１〜９のいずれかに記載の方法。
【請求項１２】
前記Ｎ個の前記信号は異なるビームによってフォーミングし、Ｎは１より大きい正の整数であることを特徴とする請求項１１に記載の方法。
【請求項１３】
前記信号は、放送信号、ランダムアクセス信号、参照信号、制御信号及びビーム参照信号の中の少なくとも１種を含むことを特徴とする請求項１〜１２のいずれかに記載の方法。
【請求項１４】
信号を伝送する方法であって、
ネットワーク機器は信号伝送に用いられるビーム数を確定し又は前記信号の伝送個数Ｎを確定し、Ｎは正の整数であること、及び
前記ネットワーク機器は端末装置へ同期信号及び／又は同期チャネルを送信し、前記同期信号及び／又は前記同期チャネルは前記ビーム数又は前記伝送個数Ｎに基づいて生成されたものであることを特徴とする信号を伝送する方法。
【請求項１５】
信号を伝送する端末装置であって、前記端末装置は、
プロセッサー、メモリ、バスシステム及びトランシーバを備え、
該プロセッサー、該メモリ及び該トランシーバは該バスシステムによって接続され、該メモリは命令を記憶することに用いられ、該プロセッサーは該メモリに記憶される命令を実行することに用いられ、前記命令が実行される際に、前記プロセッサーは請求項１〜１３のいずれかに記載の方法を実行する信号を伝送する端末装置。
【国際調査報告】
2019534586.tif 000011
2019534586.tif 000012
2019534586.tif 000013
2019534586.tif 000014